(57)【要約】【課題】さらに多様でペンからの多くの情報を制限された時間内で速かに送ることができるタッチ表示装置、ペン、タッチシステム、タッチ回路及びペン認識方法を提供すること。【解決手段】ペン情報を示すパルスの状態を多様に設定し、ペンに対する多様で多くのペン情報をより短い時間で正確に表現することで、決まった制限時間内にペン情報信号を通じて伝達することができるペン情報量をさらに増加させ、これを通じて、ペンに対する多くのペン情報をさらに迅速で正確に認識することができる。【選択図】図１
2019012505.tif 000002
【特許請求の範囲】
【請求項１】
複数のタッチ電極が配置されたパネルと、
前記パネルにパネル駆動信号を供給して、前記パネル駆動信号に応答してペンから出力されたペン情報信号を、前記パネルを通じて受信するタッチ回路と、
を含み、
前記パネル駆動信号及び前記ペン情報信号それぞれは複数のパルスを含み、
前記ペン情報信号は、
前記パネル駆動信号のパルスと位相が等しいパルスで構成された正位相状態区間と、前記パネル駆動信号のパルスと位相が異なるパルスで構成された逆位相状態区間と、前記正位相状態区間及び前記逆位相状態区間と区分されるパッシブ状態区間のうちの一つ以上を含む、タッチ表示装置。
【請求項２】
前記パッシブ状態区間は、
グラウンド電圧である区間と、ＤＣ電圧である区間と、フローティング状態である区間と、前記正位相状態区間及び前記逆位相状態区間でのパルスと区分されるパルス区間のうちの一つであることを特徴とする、請求項１に記載のタッチ表示装置。
【請求項３】
前記正位相状態区間は第１シンボル値を示し、
前記逆位相状態区間は第２シンボル値を示し、
前記パッシブ状態区間は第３シンボル値を示し、
前記第１シンボル値、前記第２シンボル値、及び前記第３シンボル値はお互いに異なる値であり、
前記ペン情報信号は、
前記正位相状態区間、前記逆位相状態区間、及び前記パッシブ状態区間を含む三つの状態区間のうちで重複を許容してＮ（Ｎ≧１）個の信号区間でなされて、
前記第１シンボル値、前記第２シンボル値、及び前記第３シンボル値を含む三つのシンボル値のうちで重複を許容してＮ個のシンボル値でなされたＮ桁のシンボルストリングを示し、
前記Ｎ桁のシンボルストリングは前記ペンに対するペン情報を表現することを特徴とする、請求項１に記載のタッチ表示装置。
【請求項４】
前記ペン情報信号においてパルスのデューティー比は一定であることを特徴とする、請求項１に記載のタッチ表示装置。
【請求項５】
前記ペン情報信号においてパルスのデューティー比は可変であることを特徴とする、請求項１に記載のタッチ表示装置。
【請求項６】
前記正位相状態区間はお互いに異なるデューティー比を有するＡ（Ａ≧２）種のデューティー比制御正位相状態区間のうちの一つ以上を含むか、または前記逆位相状態区間はお互いに異なるデューティー比を有するＢ（Ｂ≧２）種のデューティー比制御逆位相状態区間のうちの一つ以上を含むことを特徴とする、請求項１に記載のタッチ表示装置。
【請求項７】
前記Ａ種のデューティー比制御正位相状態区間、前記Ｂ種のデューティー比制御逆位相状態区間、及び前記パッシブ状態区間はお互いに異なるシンボル値を示し、
前記ペン情報信号は、
前記Ａ種のデューティー比制御正位相状態区間、前記Ｂ種のデューティー比制御逆位相状態区間、及び前記パッシブ状態区間を含むＡ＋Ｂ＋１種の状態区間のうちで重複を許容して選択されたＮ個の信号区間でなされて、
前記Ａ種のデューティー比制御正位相状態区間、前記Ｂ種のデューティー比制御逆位相状態区間、及び前記パッシブ状態区間に対応するＡ＋Ｂ＋１種のシンボル値のうちで重複を許容して選択されたＮ個のシンボル値でなされたＮ桁のシンボルストリングを示し、
前記Ｎ桁のシンボルストリングは前記ペンに対するペン情報を表現することを特徴とする、請求項６に記載のタッチ表示装置。
【請求項８】
前記ペン情報信号においてパルスの振幅が一定であることを特徴とする、請求項１に記載のタッチ表示装置。
【請求項９】
前記ペン情報信号においてパルスの振幅が可変であることを特徴とする、請求項１に記載のタッチ表示装置。
【請求項１０】
前記正位相状態区間はお互いに異なる振幅を有するＣ（Ｃ≧２）種の振幅制御正位相状態区間のうちの一つ以上を含むか、または前記逆位相状態区間はお互いに異なる振幅を有するＤ（Ｄ≧２）種の振幅制御逆位相状態区間のうちの一つ以上を含むことを特徴とする、請求項１に記載のタッチ表示装置。
【請求項１１】
前記Ｃ種の振幅制御正位相状態区間、前記Ｄ種の振幅制御逆位相状態区間、及び前記パッシブ状態区間はお互いに異なるシンボル値を示し、
前記ペン情報信号は、
前記Ｃ種の振幅制御正位相状態区間、前記Ｄ種の振幅制御逆位相状態区間、及び前記パッシブ状態区間を含むＣ＋Ｄ＋１種の状態区間のうちで重複を許容して選択されたＮ個の信号区間でなされて、
前記Ｃ種の振幅制御正位相状態区間、前記Ｄ種の振幅制御逆位相状態区間、及び前記パッシブ状態区間に対応するＣ＋Ｄ＋１種のシンボル値のうちで重複を許容して選択されたＮ個のシンボル値でなされたＮ桁シンボルストリングを示し、
前記Ｎ桁シンボルストリングは前記ペンに対するペン情報を表現することを特徴とする、請求項１０に記載のタッチ表示装置。
【請求項１２】
前記ペン情報信号におけるパルスのデューティー比及び振幅が可変であることを特徴とする、請求項１に記載のタッチ表示装置。
【請求項１３】
前記タッチ回路は、
前記パネルにパネル駆動信号を供給する前に、前記パネルを通じてビーコン信号を前記ペンに伝達することを特徴とする、請求項１に記載のタッチ表示装置。
【請求項１４】
パネルに接触するか、または隣接したペンと、
前記パネルにパネル駆動信号を供給して、前記パネル駆動信号に応答して前記ペンから出力されたペン情報信号を、前記パネルを通じて受信するタッチ回路と、
を含み、
前記パネル駆動信号及び前記ペン情報信号それぞれは複数のパルスを含み、
前記ペン情報信号は、
前記パネル駆動信号のパルスと位相が等しいパルスで構成された正位相状態区間と、前記パネル駆動信号のパルスと位相が異なるパルスで構成された逆位相状態区間と、前記正位相状態区間及び前記逆位相状態区間と区分されるパッシブ状態区間のうちの一つ以上を含む、タッチシステム。
【請求項１５】
パネルにパネル駆動信号を供給する段階と、
前記パネルに接触するか、または隣接したペンで前記パネル駆動信号に応答して出力されたペン情報信号を、前記パネルを通じて受信する段階と、
前記ペン情報信号に基づき前記ペンに対するペン情報を認識する段階と、
を含み、
前記パネル駆動信号及び前記ペン情報信号それぞれは複数のパルスを含み、
前記ペン情報信号は、
前記パネル駆動信号のパルスと位相が等しいパルスで構成された正位相状態区間と、前記パネル駆動信号のパルスと位相が異なるパルスで構成された逆位相状態区間と、前記正位相状態区間及び前記逆位相状態区間と区分されるパッシブ状態区間のうちの一つ以上を含む、ペン認識方法。
【請求項１６】
タッチ表示装置と連動するペンにおいて、
前記タッチ表示装置のパネルに接触するか、または近接する一つ以上のペンチップと、
前記一つ以上のペンチップを通じてパネル駆動信号を受信し、前記パネル駆動信号に応答してペン情報信号を前記一つ以上のペンチップを通じて出力する処理部と、
を含み、
前記パネル駆動信号及び前記ペン情報信号それぞれは複数のパルスを含み、
前記ペン情報信号は、
前記パネル駆動信号のパルスと位相が等しいパルスで構成された正位相状態区間と、前記パネル駆動信号のパルスと位相が異なるパルスで構成された逆位相状態区間と、前記正位相状態区間及び前記逆位相状態区間と区分されるパッシブ状態区間のうちの一つ以上を含む、ペン。
【請求項１７】
前記パッシブ状態区間は、
グラウンド電圧である区間と、ＤＣ電圧である区間と、フローティング状態である区間と、前記正位相状態区間及び前記逆位相状態区間でのパルスと区分されるパルス区間のうちの一つであることを特徴とする、請求項１６に記載のペン。
【請求項１８】
前記正位相状態区間は第１シンボル値を示し、
前記逆位相状態区間は第２シンボル値を示し、
前記パッシブ状態区間は第３シンボル値を示し、
前記第１シンボル値、前記第２シンボル値及び前記第３シンボル値はお互いに異なるシンボル値であり、
前記ペン情報信号は、
前記正位相状態区間、前記逆位相状態区間、及び前記パッシブ状態区間を含む三つの状態区間のうちで重複を許容してＮ（Ｎ≧１）個の信号区間でなされて、
前記第１シンボル値、前記第２シンボル値、及び前記第３シンボル値を含む三つのシンボル値のうちで重複を許容してＮ個のシンボル値でなされたシンボル値列を示し、
前記シンボル値列は前記ペンに対するペン情報を表現することを特徴とする、請求項１６に記載のペン。
【請求項１９】
前記ペン情報信号でパルスのデューティー比は可変であることを特徴とする、請求項１６に記載のペン。
【請求項２０】
前記ペン情報信号でパルスの振幅が可変であることを特徴とする、請求項１６に記載のペン。
【請求項２１】
パネル駆動信号をパネルに出力して、前記パネル駆動信号に応答してペンから出力されたペン情報信号を、前記パネルを通じて受信し、前記ペン情報信号に対応するデジタル値を出力する第１回路と、
前記デジタル値を受信する第２回路と、
を含み、
前記パネル駆動信号及び前記ペン情報信号それぞれは複数のパルスを含み、
前記ペン情報信号は、
前記パネル駆動信号のパルスと位相が等しいパルスで構成された正位相状態区間と、前記パネル駆動信号のパルスと位相が異なるパルスで構成された逆位相状態区間と、前記正位相状態区間及び前記逆位相状態区間と区分されるパッシブ状態区間のうちの一つ以上を含む、タッチ回路。
【請求項２２】
複数のタッチ電極が配置されたパネルと、
前記パネルにパネル駆動信号を供給し、前記パネル駆動信号に応答して前記ペンから出力されたペン信号を、前記パネルを通じて受信するタッチ回路と、
を含み、
前記パネル駆動信号及び前記ペン信号それぞれは複数のパルスを含み、
前記ペン信号は位相、デューティー比、及び振幅のうちの一つ以上が可変であるパルス区間を含む、タッチ表示装置。
【請求項２３】
タッチ表示装置と連動するペンにおいて、
前記タッチ表示装置のパネルに接触するか、または近接する一つ以上のペンチップと、
前記一つ以上のペンチップを通じてパネル駆動信号を受信し、前記パネル駆動信号に応答してペン信号を前記一つ以上のペンチップを通じて出力する処理部と、
を含み、
前記パネル駆動信号及び前記ペン信号それぞれは複数のパルスを含み、
前記ペン信号は位相、デューティー比、及び振幅のうちの一つ以上が可変である、パルス区間を含む、ペン。
【請求項２４】
パネル駆動信号をパネルに出力し、前記パネル駆動信号に応答してペンから出力されたペン信号を、前記パネルを通じて受信し、前記ペン信号に対応するデジタル値を出力する第１回路と、
前記デジタル値を受信する第２回路と、
を含み、
前記パネル駆動信号及び前記ペン信号それぞれは複数のパルスを含み、
前記ペン信号は位相、デューティー比、及び振幅のうちの一つ以上が可変であるパルス区間を含む、タッチ回路。
【発明の詳細な説明】
【技術分野】
【０００１】
本発明は、タッチ表示装置、ペン、タッチシステム、タッチ回路及びペン認識方法に関するものである。
【背景技術】
【０００２】
情報化社会が発展するにつれて画像を表示するためのタッチディスプレイ装置に対する要求が多様な形態で増加しているし、近来には液晶表示装置、プラズマ表示装置、有機発光表示装置などのようなさまざまな表示装置が活用されている。
【０００３】
このような表示装置は、ボタン、キーボード、マウスなどの通常的な入力方式から脱皮して、使用者が手軽く情報あるいは命令を直観的で便利に入力できるようにしてくれるタッチ基盤の入力方式を提供する。
【０００４】
このようなタッチ基盤の入力方式を提供するためには、使用者のタッチ有無を把握してタッチ座標を正確に検出しなければならない。
【０００５】
また、指以外にも、精巧なペンタッチ入力に対する要求の増大によってペンタッチ技術に対する開発もなされている。
【０００６】
しかし、表示装置が基本的にディスプレイ機能を提供しながら、指などによるタッチとペンによるタッチとを共に効率的に提供することには、相当に困難であるのが実情である。
【０００７】
一方、表示装置は、ペンと連動した機能を提供するため、ペンに対する情報を正確で速かに認識しなければならない。
【０００８】
ところが、近年、ペンとの連動機能が多くなる、または複雑になる傾向があり、ペンから表示装置に伝送されるペンからの情報量もそれに従い多くなる。
【０００９】
しかし、ペンの出力信号特性上、多様で多くのペンからの情報を送るのに相当な長い時間がかかるか、または制限時間内に多様で多くのペンからの情報を送ることができない問題点がある。これにより、ペンからの情報を認識することができないか、または認識が遅いため、正常なペンタッチ技術やペン連動機能を提供できない実情がある。
【発明の概要】
【発明が解決しようとする課題】
【００１０】
このような背景に鑑み、本発明の目的は、さらに多様でペンからの多くの情報を、制限された時間内で速かに送ることができるタッチ表示装置、ペン、タッチシステム、タッチ回路及びペン認識方法を提供することにある。
【００１１】
本発明の他の目的は、ペンに対する多様で多くのペン情報をより短い長さで正確に表現できるタッチ表示装置、ペン、タッチシステム、タッチ回路及びペン認識方法を提供することにある。
【００１２】
本発明の他の目的は、決まった制限時間内にペン情報信号を通じて伝達することができるペン情報量をさらに増加させることができるようにし、これを通じて、ペンに対する多くのペン情報をさらに迅速で正確に認識することができるタッチ表示装置、ペン、タッチシステム、タッチ回路及びペン認識方法を提供することにある。
【課題を解決するための手段】
【００１３】
本発明は、複数のタッチ電極が配置されたパネルと、及び前記パネルにパネル駆動信号を供給して、前記パネル駆動信号に応答してペンから出力されたペン情報信号を、前記パネルを通じて受信するタッチ回路を含むタッチ表示装置を提供することができる。
【００１４】
前記パネル駆動信号及び前記ペン情報信号それぞれは複数のパルスを含むことができる。
【００１５】
前記ペン情報信号は、前記パネル駆動信号のパルスと位相が等しいパルスでなされた正位相状態区間と、前記パネル駆動信号のパルスと位相が異なるパルスでなされた逆位相状態区間と、前記正位相状態区間及び前記逆位相状態区間と区分されるパッシブ状態区間のうちの一つ以上を含むことができる。
【００１６】
前記パッシブ状態区間は、グラウンド電圧である区間と、ＤＣ電圧である区間と、フローティング状態である区間と、前記正位相状態区間及び前記逆位相状態区間でのパルスとに区分されるパルス区間のうちの一つであることができる。
【００１７】
前記正位相状態区間は第１シンボル値を示し、前記逆位相状態区間は第２シンボル値を示し、前記パッシブ状態区間は第３シンボル値を示すことができる。
【００１８】
前記第１シンボル値、前記第２シンボル値及び前記第３シンボル値はお互いに異なる値であることができる。
【００１９】
前記ペン情報信号は、前記正位相状態区間、前記逆位相状態区間及び前記パッシブ状態区間を含む三つの状態区間のうちで重複を許容してＮ（Ｎ≧１）個の信号区間でなされることができる。
【００２０】
前記第１シンボル値、前記第２シンボル値及び前記第３シンボル値を含む三つのシンボル値のうちで重複を許容してＮ個のシンボル値でなされたＮ桁のシンボルストリングを示すことができる。
【００２１】
前記Ｎ桁のシンボルストリングは前記ペンに対するペン情報を表現し、Ｎ桁のシンボルストリングの種類の個数は３Ｎ個であることができる。
【００２２】
前記ペン情報信号でパルスのデューティー比は一定であることができる。
【００２３】
または、前記ペン情報信号でパルスのデューティー比は可変されることができる。
【００２４】
前記正位相状態区間はお互いに異なるデューティー比を有するＡ（Ａ≧２）種のデューティー比制御正位相状態区間のうちの一つ以上を含むことができる。
【００２５】
前記逆位相状態区間はお互いに異なるデューティー比を有するＢ（Ｂ≧２）種のデューティー比制御逆位相状態区間のうちの一つ以上を含むことができる。
【００２６】
前記Ａ種のデューティー比制御正位相状態区間、前記Ｂ種のデューティー比制御逆位相状態区間及び前記パッシブ状態区間はお互いに異なるシンボル値を示すことができる。
【００２７】
前記ペン情報信号は、前記Ａ種のデューティー比制御正位相状態区間、前記Ｂ種のデューティー比制御逆位相状態区間及び前記パッシブ状態区間を含むＡ＋Ｂ＋１種の状態区間のうちで重複を許容して選択されたＮ個の信号区間でなされることができる。
【００２８】
前記ペン情報信号は、前記Ａ種のデューティー比制御正位相状態区間、前記Ｂ種のデューティー比制御逆位相状態区間及び前記パッシブ状態区間に対応するＡ＋Ｂ＋１種のシンボル値のうちで重複を許容して選択されたＮ個のシンボル値でなされたＮ桁のシンボルストリングを示すことができる。
【００２９】
前記Ｎ桁のシンボルストリングは前記ペンに対するペン情報を表現し、Ｎ桁のシンボルストリングの種類の個数は（Ａ＋Ｂ＋１）Ｎ個であることができる。
【００３０】
前記ペン情報信号でパルスの振幅が一定であることができる。
【００３１】
または、前記ペン情報信号でパルスの振幅が可変であることができる。
【００３２】
前記正位相状態区間はお互いに異なる振幅を有するＣ（Ｃ≧２）種の振幅制御正位相状態区間のうちの一つ以上を含むことができる。
【００３３】
または前記逆位相状態区間はお互いに異なる振幅を有するＤ（Ｄ≧２）種の振幅制御逆位相状態区間のうちの一つ以上を含むことができる。
【００３４】
前記Ｃ種の振幅制御正位相状態区間、前記Ｄ種の振幅制御逆位相状態区間及び前記パッシブ状態区間はお互いに異なるシンボル値を示すことができる。
【００３５】
前記ペン情報信号は、前記Ｃ種の振幅制御正位相状態区間、前記Ｄ種の振幅制御逆位相状態区間及び前記パッシブ状態区間を含むＣ＋Ｄ＋１種の状態区間のうちで重複を許容して選択されたＮ個の信号区間でなされることができる。
【００３６】
前記ペン情報信号は、前記Ｃ種の振幅制御正位相状態区間、前記Ｄ種の振幅制御逆位相状態区間及び前記パッシブ状態区間に対応するＣ＋Ｄ＋１種のシンボル値のうちで重複を許容して選択されたＮ個のシンボル値でなされたＮ桁シンボルストリングを示すことができる。
【００３７】
前記Ｎ桁シンボルストリングは前記ペンに対するペン情報を表現し、Ｎ桁のシンボルストリングの種類の個数は（Ｃ＋Ｄ＋１）Ｎ個であることができる。
【００３８】
本発明は、パネルに接触するか、または隣接したペンと、及び前記パネルにパネル駆動信号を供給して、前記パネル駆動信号に応答して前記ペンから出力されたペン情報信号を、前記パネルを通じて受信するタッチ回路を含むタッチシステムを提供することができる。
【００３９】
前記パネル駆動信号及び前記ペン情報信号それぞれは複数のパルスを含むことができる。
【００４０】
前記ペン情報信号は、前記パネル駆動信号のパルスと位相が等しいパルスでなされた正位相状態区間と、前記パネル駆動信号のパルスと位相が異なるパルスでなされた逆位相状態区間と、グラウンド電圧区間と、ＤＣ電圧区間と、フローティング区間と、正位相状態区間及び逆位相状態区間でのパルスと区分が可能なパルスでなされたパルス区間のうちの一つであるパッシブ状態区間のうちの一つ以上を含むことができる。
【００４１】
本発明は、パネルにパネル駆動信号を供給する段階と、前記パネルに接触するか、または隣接したペンで前記パネル駆動信号に応答して出力されたペン情報信号を、前記パネルを通じて受信する段階と、及び前記ペン情報信号に基づき前記ペンに対するペン情報を認識する段階を含むペン認識方法を提供することができる。
【００４２】
前記パネル駆動信号及び前記ペン情報信号それぞれは複数のパルスを含むことができる。
【００４３】
前記ペン情報信号は、前記パネル駆動信号のパルスと位相が等しいパルスでなされた正位相状態区間と、前記パネル駆動信号のパルスと位相が異なるパルスでなされた逆位相状態区間と、前記正位相状態区間及び前記逆位相状態区間と区分されるパッシブ状態区間のうちの一つ以上を含むことができる。
【００４４】
本発明は、タッチ表示装置と連動するペンにおいて、前記タッチ表示装置のパネルに接触するか、または近接する一つ以上のペンチップと、及び前記一つ以上のペンチップを通じてパネル駆動信号を受信し、前記パネル駆動信号に応答してペン情報信号を前記一つ以上のペンチップを通じて出力する処理部を含むペンを提供することができる。
【００４５】
前記パネル駆動信号及び前記ペン情報信号それぞれは複数のパルスを含むことができる。
【００４６】
前記ペン情報信号は、前記パネル駆動信号のパルスと位相が等しいパルスでなされた正位相状態区間と、前記パネル駆動信号のパルスと位相が異なるパルスでなされた逆位相状態区間と、前記正位相状態区間及び前記逆位相状態区間と区分されるパッシブ状態区間のうちの一つ以上を含むことができる。
【００４７】
本発明は、パネル駆動信号をパネルに出力して、前記パネル駆動信号に応答してペンから出力されたペン情報信号を、前記パネルを通じて受信し、前記ペン情報信号に対応するデジタル値を出力する第１回路と、及び前記デジタル値を受信する第２回路を含むタッチ回路を提供することができる。
【００４８】
前記パネル駆動信号及び前記ペン情報信号それぞれは複数のパルスを含むことができる。
【００４９】
前記ペン情報信号は、前記パネル駆動信号のパルスと位相が等しいパルスでなされた正位相状態区間と、前記パネル駆動信号のパルスと位相が異なるパルスでなされた逆位相状態区間と、前記正位相状態区間及び前記逆位相状態区間と区分されるパッシブ状態区間のうちの一つ以上を含むことができる。
【００５０】
本発明は、複数のタッチ電極が配置されたパネルと、及び前記パネルにパネル駆動信号を供給し、前記パネル駆動信号に応答して前記ペンから出力されたペン信号を、前記パネルを通じて受信するタッチ回路を含むタッチ表示装置を提供することができる。
【００５１】
前記パネル駆動信号及び前記ペン信号それぞれは複数のパルスを含むことができる。
【００５２】
前記ペン信号は位相、デューティー比及び振幅のうちの一つ以上が可変されたパルス区間を含むことができる。
【００５３】
タッチ回路はペン信号の位相、デューティー比及び振幅のうちの一つ以上に基づいてペンに対するタッチ位置及び/またはペン情報を認識することができる。
【００５４】
前記ペン信号の位相、デューティー比及び振幅のうちの一つ以上によってペン情報が表現されることができる。
【発明の効果】
【００５５】
上記で説明した本発明によれば、さらに多様で多くのペン情報を制限された時間内で速かに送ることができるタッチ表示装置、ペン、タッチシステム、タッチ回路及びペン認識方法を提供することができる。
【００５６】
本発明によれば、ペンに対する多様で多くのペン情報をより短い時間で正確に表現できるようにしてくれるタッチ表示装置、ペン、タッチシステム、タッチ回路及びペン認識方法を提供することができる。
【００５７】
本発明によれば、決まった制限時間内にペン情報信号を通じて伝達することができるペン情報量をさらに増加させ、これを通じて、ペンに対する多くのペン情報をさらに迅速で正確に認識することができるタッチ表示装置、ペン、タッチシステム、タッチ回路及びペン認識方法を提供することができる。
【図面の簡単な説明】
【００５８】
【図１】本発明によるタッチシステムを示した図面である。
【図２】本発明によるタッチ表示装置のディスプレイ部分を示した図面である。
【図３】本発明によるタッチ表示装置で、相互容量(Mutual capacitance)基盤のタッチセンシングのためのタッチセンシング部分を示した図面である。
【図４】本発明によるタッチ表示装置で、自己容量(Self capacitance)基盤のタッチセンシングのためのタッチセンシング部分を示した図面である。
【図５】本発明によるタッチ表示装置の具現例示図面である。
【図６】本発明によるタッチ表示装置のディスプレイ期間及びタッチ期間のタイミングを示した例示図面である。
【図７】本発明によるタッチ表示装置で、一つのフレーム時間が時分割されたディスプレイ期間とタッチ期間を示した例示図面である。
【図８】本発明によるタッチシステムのペン検索モードを示した図面である。
【図９】本発明によるタッチシステムのペンモードを示した図面である。
【図１０】本発明によるタッチシステムでビーコン信号伝送期間の間の動作を示した図面である。
【図１１】本発明によるタッチシステムでペン位置/チルトセンシング期間の間の動作を示した図面である。
【図１２】本発明によるタッチシステムでペン情報認識期間の間の動作を示した図面である。
【図１３】本発明によるタッチシステムで指タッチセンシング期間の間の動作を示した図面である。
【図１４】本発明によるタッチシステムで、アクティブペンが第２パネル駆動信号に応答して出力されるペン情報信号でペン情報表現のために二つの状態及び二つのシンボル値を利用する場合、ペン情報信号での二つの状態区間を示した例示図である。
【図１５】本発明によるタッチシステムで、二つの状態及び二つのシンボル値を利用して２桁シンボルストリング及び３桁シンボルストリングで表現したペン情報を示した図面である。
【図１６】本発明によるタッチシステムで、ペン情報認識期間の間の信号タイミングを例示的に示した図面であり、二つの状態及び二つのシンボル値を利用して８桁シンボルストリングでペン情報が表現されたペン情報信号を示した図面である。
【図１７】本発明によるタッチシステムで、アクティブペンが第２パネル駆動信号に応答して出力されるペン情報信号でペン情報表現のために三つの状態及び三つのシンボル値を利用する場合、ペン情報信号での三つの状態区間を示した例示図である。
【図１８】本発明によるタッチシステムで、三つの状態及び三つのシンボル値を利用して２桁シンボルストリング及び３桁シンボルストリングで表現したペン情報を示した図面である。
【図１９】本発明によるタッチシステムで、ペン情報認識期間の間の信号タイミングを例示的に示した図面であり、三つの状態及び三つのシンボル値を利用して８桁シンボルストリングでペン情報が表現されたペン情報信号を示した図面である。
【図２０】本発明によるタッチシステムで、アクティブペンが第２パネル駆動信号に応答して出力されるペン情報信号でペン情報表現のために三つの状態及び三つのシンボル値を利用する場合、ペン情報信号での三つの状態区間のうちでパッシブ状態区間の四つの例示である。
【図２１】本発明によるタッチシステムで、決まった制限時間内にペン情報信号を通じて伝達することができるペン情報量をさらに増加させるために、デューティー比可変制御を通じて、五つの状態及び五つのシンボル値を利用する場合、ペン情報信号での五つの状態区間を示した例示図である。
【図２２】本発明によるタッチシステムで、決まった制限時間内にペン情報信号を通じて伝達することができるペン情報量をさらに増加させるために、さらに細分化されたデューティー比可変制御を通じて、七つの状態及び七つのシンボル値を利用する場合、ペン情報信号での七つの状態区間を示した例示図である。
【図２３】本発明によるタッチシステムで、決まった制限時間内にペン情報信号を通じて伝達することができるペン情報量をさらに増加させるために、デューティー比可変制御を通じて生成されるＡ＋Ｂ＋１種の状態及びＡ＋Ｂ＋１種のシンボル値を示した図面である。
【図２４】本発明によるタッチシステムで、決まった制限時間内にペン情報信号を通じて伝達することができるペン情報量をさらに増加させるために、振幅可変制御を通じて、五つの状態及び五つのシンボル値を利用する場合、ペン情報信号での五つの状態区間を示した例示図である。
【図２５】本発明によるタッチシステムで、決まった制限時間内にペン情報信号を通じて伝達することができるペン情報量をさらに増加させるために、さらに細分化された振幅可変制御を通じて、七つの状態及び七つのシンボル値を利用する場合、ペン情報信号での七つの状態区間を示した例示図である。
【図２６】本発明によるタッチシステムで、決まった制限時間内にペン情報信号を通じて伝達することができるペン情報量をさらに増加させるために、振幅可変制御を通じて生成されるＣ＋Ｄ＋１種の状態及びＣ＋Ｄ＋１種のシンボル値を示した図面である。
【図２７】本発明によるタッチシステムで、信号同期のためのピング信号を示した図面である。
【図２８】本発明によるアクティブペンに対するダイヤグラムである。
【図２９】本発明によるアクティブペンの信号送受信に対するダイヤグラムである。
【図３０】本発明によるタッチ回路に対するダイヤグラムである。
【図３１】本発明によるタッチ回路の第１回路の内部回路構成を示した図面である。
【図３２】本発明によるタッチシステムでパネル駆動信号をパネルに供給するための回路構造の例示図である。
【図３３】本発明によるペン認識方法の流れ図である。
【発明を実施するための形態】
【００５９】
以下、本発明の一部本発明を例示的な図面を参照して詳細に説明する。各図面の構成要素に参照符号を付加するにおいて、同一の構成要素に対してはたとえ他の図面上に表示されても、できるだけ等しい符号を有する。また、本発明を説明するにおいて、関連される公知構成または機能に対する具体的な説明が本発明の要旨を理解する上で必要ないと判断される場合にはその詳細な説明を略することがある。
【００６０】
また、本発明の構成要素を説明するにおいて、第１、第２、Ａ、Ｂ、（ａ）、（ｂ）などの用語を使用することがある。このような用語はその構成要素を他の構成要素と区別するためのものであるだけで、その用語によって該当構成要素の本質、順番、順序または個数などが限定されない。ある構成要素が異なる構成要素に“連結”、“結合”または“接続”されると記載した場合、その構成要素はその他の構成要素に直接的に連結されるか、または接続されることができるが、各構成要素の間に他の構成要素が“介在”されるか、または各構成要素が他の構成要素を通じて“連結”、“結合”または“接続”されることもできると理解されなければならないであろう。
【００６１】
図１は、本発明によるタッチシステムを示した図面である。
【００６２】
本発明によるタッチシステムはタッチ表示装置１０及びこれと連動するアクティブペン２０などを含むことができる。
【００６３】
タッチ表示装置１０は映像表示機能を提供するだけでなく、指またはノーマルペン(Normal Pen)などに対するタッチセンシング機能と、一つ以上のアクティブペン(Active Pen)２０に対するタッチセンシング機能(ペン認識機能)を提供することができる電子機器である。
【００６４】
本明細書でアクティブペン(Active Pen)２０は、信号送受信機能を有するか、またはタッチ表示装置１０と連動動作を遂行することができるか、または電源自体を含むペンを意味することができるし、スタイラス(Stylus)またはスタイラスペン(Stylus Pen)またはアクティブスタイラスペン(Active Stylus Pen)などとも言う。ノーマルペン(Normal Pen)は信号送受信機能を有しないか、またはタッチ表示装置１０と連動動作を遂行しないか、または電源自体がないペンを意味することができる。但し、本明細書全般で、説明の便宜のために、アクティブペン２０は“ペン”で簡単に記載することもある。
【００６５】
アクティブペン２０はタッチ表示装置１０と信号を送受信する機能を有するアクティブなタッチ入力道具であり、指、ノーマルペンなどはタッチ表示装置１０と信号を送受信する機能を有しない通常のタッチ入力道具である。
【００６６】
下で、説明の便宜のために、通常のタッチ入力道具の代表を指として記載する。しかし、下で記載した指はノーマルペンなどのノーマルなタッチ入力道具をすべて含む意味で解釈されなければならないであろう。
【００６７】
本発明によるタッチ表示装置１０は、一例で、テレビ（ＴＶ）、モニターなどであることもできて、タブレット、スマートフォンなどのモバイルデバイスであることができる。
【００６８】
本発明によるタッチ表示装置１０は、映像表示機能を提供するためのディスプレイ部分(Display Part)とタッチセンシングのためのタッチセンシング部分(Touch Sensing Part)を含むことができる。
【００６９】
下では、図２乃至図５を参照して、タッチ表示装置１０のディスプレイ部分(Display Part)とタッチセンシング部分(Touch Sensing Part)に対する構造を簡略に説明する。
【００７０】
図２は、本発明によるタッチ表示装置１０でディスプレイ部分(Display Part)を示した図面である。図３及び図４は本発明によるタッチ表示装置１０で、二つのタッチセンシング部分(Touch Sensing Part)を示した図面である。図５は本発明によるタッチ表示装置１０の具現例示図面である。
【００７１】
図２を参照すれば、本発明によるタッチ表示装置１０のディスプレイ部分(Display Part)は、表示パネル１１０、データ駆動回路１２０、ゲート駆動回路１３０及びコントローラ１４０などを含むことができる。
【００７２】
表示パネル１１０は複数のデータライン（ＤＬ）と複数のゲートライン（ＧＬ）が配置され、複数のデータライン（ＤＬ）と複数のゲートライン（ＧＬ）によって定義される複数のサブピクセル（ＳＰ）が配列されている。
【００７３】
データ駆動回路１２０は複数のデータライン（ＤＬ）にデータ電圧を供給して複数のデータライン（ＤＬ）を駆動する。
【００７４】
ゲート駆動回路１３０は複数のゲートライン（ＧＬ）にスキャン信号を順次に供給して複数のゲートライン（ＧＬ）を駆動する。
【００７５】
コントローラ１４０はデータ駆動回路１２０及びゲート駆動回路１３０に各種制御信号（ＤＣＳ、ＧＣＳ）を供給して、データ駆動回路１２０及びゲート駆動回路１３０の動作を制御する。
【００７６】
このようなコントローラ１４０は、各フレームで具現するタイミングによってスキャンを始めて、外部から入力される入力映像データをデータ駆動回路１２０で使用するデータ信号形式に合うように切り替えて転換された映像データ（ＤＡＴＡ）を出力し、スキャンに合わせて適当な時間にデータ駆動を統制する。
【００７７】
このようなコントローラ１４０は通常のディスプレイ技術で利用されるタイミングコントローラ(Timing Controller)であるか、またはタイミングコントローラ(Timing Controller)を含んで他の制御機能もさらに遂行する制御装置であることができる。
【００７８】
このようなコントローラ１４０は、データ駆動回路１２０と別途の部品で具現されることもでき、データ駆動回路１２０と共に集積回路で具現されることもできる。
【００７９】
一方、データ駆動回路１２０は、少なくとも一つのソースドライバ集積回路（ＳＤＩＣ：Source Driver Integrated Circuit）を含んで具現されることができる。
【００８０】
各ソースドライバ集積回路（ＳＤＩＣ）は、シフトレジスタ(Shift Register)、ラッチ回路(Latch Circuit)、デジタルアナログコンバータ（ＤＡＣ：Digital to Analog Converter）、出力バッファ(Output Buffer)などを含むことができる。
【００８１】
各ソースドライバ集積回路（ＳＤＩＣ）は、場合によって、アナログデジタルコンバータ（ＡＤＣ：Analog to Digital Converter）をさらに含むことができる。
【００８２】
ゲート駆動回路１３０は、少なくとも一つのゲートドライバ集積回路（ＧＤＩＣ：Gate Driver Integrated Circuit）を含んで具現されることができる。
【００８３】
各ゲートドライバ集積回路(ＧＤＩＣ)はシフトレジスタ(Shift Register)、レベルシフタ(Level Shifter)などを含むことができる。
【００８４】
データ駆動回路１２０は、表示パネル１１０の一側（例：上側または下側）だけに位置することもでき、場合によっては、駆動方式、パネル設計方式などによって表示パネル１１０の両側（例：上側と下側）にすべて位置することもできる。
【００８５】
ゲート駆動回路１３０は、表示パネル１１０の一側（例：左側または右側）だけに位置することもでき、場合によっては、駆動方式、パネル設計方式などによって表示パネル１１０の両側（例：左側と右側）にすべて位置することもできる。
【００８６】
一方、表示パネル１１０は液晶表示パネル、有機発光表示パネル及びプラズマ表示パネルなどの多様なタイプの表示パネルであることができる。
【００８７】
タッチ表示装置１０はキャパシタンス基盤のタッチセンシング技法を通じて、指及び/またはアクティブペン２０によるタッチ入力をセンシングすることができる。
【００８８】
このために、図３及び図４に示されたように、タッチ表示装置１０はタッチ電極（ＴＥ）が配置されたタッチパネル（ＴＳＰ）とこれを駆動するためのタッチ回路３００を含むことができる。
【００８９】
タッチ表示装置１０は、二つのタッチ電極（Ｔｘ＿ＴＥ、Ｒｘ＿ＴＥ）の間ごとに形成されるキャパシタンス、またはその変化を測定してタッチ入力をセンシングする相互容量基盤のタッチセンシング機能を提供するか、または一つのタッチ電極（ＴＥ）ごとに形成されたキャパシタンスまたはその変化を測定してタッチ入力をセンシングする自己容量基盤のタッチセンシング機能を提供することができる。
【００９０】
図３を参照すれば、相互容量基盤のタッチセンシングのために、タッチパネル（ＴＳＰ）にはタッチ駆動信号が印加される第１タッチ電極ライン（Ｔ１〜Ｔ５、タッチ駆動ラインとも称する）とタッチセンシング信号がセンシングされる第２タッチ電極ライン（Ｒ１〜Ｒ６、タッチセンシングラインとも称する）らが交差して配置される。
【００９１】
第１タッチ電極ライン（Ｔ１〜Ｔ５）それぞれは横方向に延長される一つのバー(Bar)型の電極であることもでき、第２タッチ電極ライン（Ｒ１〜Ｒ６）それぞれは縦方向に延長される一つのバー(Bar)型の電極であることができる。
【００９２】
これと異なるように、図３に示されたように、第１タッチ電極ライン（Ｔ１〜Ｔ５）それぞれは等しい行に配置された第１タッチ電極（Ｔｘ＿ＴＥ、タッチ駆動電極とも称する）が電気的に連結されて形成されることができる。第２タッチ電極ライン（Ｒ１〜Ｒ６）それぞれは等しい列に配置された第２タッチ電極（Ｒｘ＿ＴＥ、タッチセンシング電極とも称する）が電気的に連結されて形成されることができる。
【００９３】
第１タッチ電極ライン（Ｔ１〜Ｔ５）それぞれは一つ以上の信号ライン（ＳＬ）を通じてタッチ回路３００と電気的に連結されることができる。第２タッチ電極ライン（Ｒ１〜Ｒ６）それぞれは一つ以上の信号ライン（ＳＬ）を通じてタッチ回路３００と電気的に連結されることができる。
【００９４】
図４を参照すれば、自己容量基盤のタッチセンシングのために、タッチパネル（ＴＳＰ）には複数のタッチ電極（ＴＥ）が配置されることができる。
【００９５】
複数のタッチ電極（ＴＥ）それぞれはタッチ駆動信号が印加されてタッチセンシング信号がセンシングされることができる。
【００９６】
複数のタッチ電極（ＴＥ）それぞれは、一つ以上の信号ライン（ＳＬ）を通じてタッチ回路３００と電気的に連結されることができる。
【００９７】
下では、説明の便宜のために、タッチ表示装置１０は自己容量基盤のタッチセンシング方式を提供して、タッチパネル（ＴＳＰ）も自己容量基盤のタッチセンシングのために図４のように設計された場合を仮定する。
【００９８】
図３及び図４に示された一つのタッチ電極（ＴＥ）の形状は例示であるだけで多様に設計されることができる。
【００９９】
また、一つのタッチ電極（ＴＥ）が形成される領域の大きさは一つのサブピクセルが形成される領域の大きさに対応することもでき、一つのサブピクセルが形成される領域の大きさより大きくなることができる。
【０１００】
例えば、一つのタッチ電極（ＴＥ）が形成される領域の大きさは数個乃至数十個のサブピクセル領域の大きさに対応することができる。
【０１０１】
一方、タッチパネル（ＴＳＰ）は表示パネル１１０と別に製作されて表示パネル１１０に結合される外装型（アド-オン(Add-On)タイプとも称する）であるか、または表示パネル１１０に内蔵される内蔵型（イン-セル(In-Cell)タイプまたはオン-セル(On-Cell)タイプとも称する）であることもできる。
【０１０２】
図５を参照すれば、一方、タッチ回路３００はタッチパネル（ＴＳＰ）にタッチ駆動信号を供給してタッチパネル（ＴＳＰ）からタッチセンシング信号を検出（受信）するための一つ以上の第１回路（ＲＯＩＣ）と、第１回路（ＲＯＩＣ）のタッチセンシング信号検出結果を利用してタッチ入力の有無及び／または位置などを認識する第２回路（ＴＣＲ）などを含むことができる。
【０１０３】
タッチ回路３００の一つ以上の第１回路（ＲＯＩＣ）は個別部品で具現されるか、または一つの部品で具現されることができる。
【０１０４】
一方、タッチ回路３００の一つ以上の第１回路（ＲＯＩＣ）とデータ駆動回路１２０を具現した一つ以上のソースドライバ集積回路（ＳＤＩＣ）は一つ以上の統合集積回路（ＳＲＩＣ）で統合されて具現されることができる。
【０１０５】
すなわち、タッチ表示装置１０は一つ以上の統合集積回路（ＳＲＩＣ）を含むことができるが、各統合集積回路（ＳＲＩＣ）は第１回路（ＲＯＩＣ）とソースドライバ集積回路（ＳＤＩＣ）を含むことができる。
【０１０６】
このように、タッチ駆動のための第１回路（ＲＯＩＣ）とデータ駆動のためのソースドライバ集積回路（ＳＤＩＣ）の統合具現は、タッチパネル（ＴＳＰ）が表示パネル１１０に内蔵される内蔵型であり、タッチ電極（ＴＥ）と連結された信号ライン（ＳＬ）がデータライン（ＤＬ）と平行に配置された場合に、タッチ駆動及びデータ駆動を効果的に遂行することができる。
【０１０７】
一方、タッチパネル（ＴＳＰ）が表示パネル１１０に内蔵される内蔵型である場合、タッチ電極（ＴＥ）は、タッチセンシングのためのタッチ期間の間にタッチ駆動信号が印加されるか、またはタッチセンシング信号が検出され、映像表示のためのディスプレイ期間の間に共通電圧が印加されるブロック化された共通電極であることができる。
【０１０８】
ディスプレイ期間の間、タッチ電極（ＴＥ）はタッチ回路３００の内部ですべて電気的に連結され、共通電圧を共通で印加を受けることができる。
【０１０９】
タッチ期間の間、タッチ回路３００の内部でタッチ電極（ＴＥ）のうち一部または全体が選択され、選択された一つ以上のタッチ電極（ＴＥ）はタッチ回路３００の第１回路（ＲＯＩＣ）からタッチ駆動信号が印加されるか、またはタッチ回路３００の第１回路（ＲＯＩＣ）によってタッチセンシング信号が検出されることができる。
【０１１０】
一方、タッチ期間の間、指及び／またはアクティブペン２０によるタッチ入力をセンシングするか、またはアクティブペン２０のペン情報を認識するためのタッチ駆動信号としてのパネル駆動信号がタッチ電極（ＴＥ）及び信号ライン（ＳＬ）に供給される時、タッチ電極（ＴＥ）及び信号ライン（ＳＬ）ではない周辺の電極及び信号にもパネル駆動信号と等しいか、または対応する信号が印加されることができる。
【０１１１】
例えば、タッチ期間の間、すべてのデータラインまたは一部のデータラインにパネル駆動信号またはこれと対応する信号が印加されることができる。
【０１１２】
他の例を挙げると、タッチ期間の間、すべてのゲートラインまたは一部のゲートラインにパネル駆動信号またはこれと対応する信号が印加されることができる。
【０１１３】
また他の例を挙げると、タッチ期間の間、すべてのタッチ電極（ＴＥ）にパネル駆動信号または、これと対応する信号が印加されることができる。
【０１１４】
一方、本発明で、パネル駆動信号はタッチパネル（ＴＳＰ）、表示パネル１１０、またはタッチパネル（ＴＳＰ）を内蔵する表示パネル１１０に印加されるすべての信号を意味することができる。
【０１１５】
一方、集積回路の具現及び配置位置と関連されて、一例で、タッチ表示装置１０で、両端がタッチパネル（ＴＳＰ）と印刷回路基板（ＰＣＢ）に連結されたフィルム上に統合集積回路（ＳＲＩＣ）が実装されることができる。
【０１１６】
このように、ＣＯＦ(Chip On Film)タイプの統合集積回路（ＳＲＩＣ）はフィルム上の配線を通じて、タッチパネル（ＴＳＰ）と電気的に連結され、印刷回路基板（ＰＣＢ）上に実装された第２回路（ＴＣＲ）と電気的に連結されることができる。
【０１１７】
統合集積回路（ＳＲＩＣ）は、タッチパネル（ＴＳＰ）上に配置されるＣＯＧ(Chip On Glass)タイプで具現されることもできる。
【０１１８】
一方、タッチ回路３００の一つ以上の第１回路（ＲＯＩＣ）と第２回路（ＴＣＲ）は、１個の部品に統合されて具現されることもできる。
【０１１９】
図６は、本発明によるタッチ表示装置１０のディスプレイ期間及びタッチ期間のタイミングを示した例示図面である。図７は、本発明によるタッチ表示装置で、一つのフレーム時間が時分割された１６個のディスプレイ期間（ＤＰ１〜ＤＰ１６）と１６個のタッチ期間（ＴＰ１〜ＴＰ１６）を示した例示図面である。
【０１２０】
図６を参照すれば、本発明によるタッチ表示装置１０は、決まったディスプレイ期間（ＤＰ）の間に映像表示のためのディスプレイ駆動を遂行し、決まったタッチ期間（ＴＰ）の間に指及び/またはアクティブペン２０によるタッチ入力をセンシングするためのタッチ駆動を遂行する。
【０１２１】
ディスプレイ期間（ＤＰ）とタッチ期間（ＴＰ）は、時間的に等しいか、または重畳される期間であることもでき、時間的に分離された期間であることもできる。
【０１２２】
下では、ディスプレイ期間（ＤＰ）とタッチ期間（ＴＰ）は、時間的に分離された期間である場合を例で挙げる。
【０１２３】
この場合、ディスプレイ期間（ＤＰ）とタッチ期間（ＴＰ）は交番することができる。
【０１２４】
このように、ディスプレイ期間（ＤＰ）とタッチ期間（ＴＰ）が交番しながら時間的に分離された場合、タッチ期間（ＴＰ）はディスプレイ駆動が遂行されないブランク(Blank)期間であることができる。
【０１２５】
タッチ表示装置１０はハイレベルとローレベルでスイングされる同期化信号(Tsync)を発生させ、これを通じてディスプレイ期間（ＤＰ）とタッチ期間（ＴＰ）とを識別するか、または制御することができる。
【０１２６】
例えば、同期化信号(Tsync)のハイレベル区間（または、ローレベル区間）はディスプレイ期間（ＤＰ）に対応することができ、同期化信号(Tsync)のローレベル区間（または、ハイレベル区間）はタッチ期間（ＴＰ）に対応することができる。
【０１２７】
一方、一フレーム時間内にディスプレイ期間（ＤＰ）及びタッチ期間（ＴＰ）を割り当てる方式と関連し、一例で、一つのフレーム時間が一つのディスプレイ期間（ＤＰ）と一つのタッチ期間（ＴＰ）とに時分割されて、一つのディスプレイ期間（ＤＰ）の間にディスプレイ駆動が進行されて、ブランク期間に該当する一つのタッチ期間（ＴＰ）の間に指及び／またはアクティブペン２０によるタッチ入力をセンシングするためのタッチ駆動が進行されることができる。
【０１２８】
他の例で、一つのフレーム時間が二つ以上のディスプレイ期間（ＤＰ）と二つ以上のタッチ期間（ＴＰ）に時分割される。一フレーム時間内に二つ以上のディスプレイ期間（ＤＰ）の間に一つのフレームのためのディスプレイ駆動が進行されることができる。一フレーム時間内にブランク期間に該当する二つ以上のタッチ期間（ＴＰ）の間に画面全領域での指及び／またはアクティブペン２０によるタッチ入力を１回または２回以上センシングするためのタッチ駆動が進行されるか、または画面一部領域での指及び／またはアクティブペン２０によるタッチ入力を１回または２回以上センシングするためのタッチ駆動が進行されることができる。
【０１２９】
一方、一つのフレーム時間が二つ以上のディスプレイ期間（ＤＰ）と二つ以上のタッチ期間（ＴＰ）に時分割される時、一フレーム時間内に二つ以上のタッチ期間（ＴＰ）に該当する二つ以上のブランク期間それぞれは“ＬＨＢ(Long Horizontal Blank)”と称する。
【０１３０】
ここで、一フレーム時間内に二つ以上のＬＨＢ間遂行されるタッチ駆動を“ＬＨＢ駆動”と称する。
【０１３１】
図７を参照すれば、一つのフレーム時間は１６個のディスプレイ期間（ＤＰ１〜ＤＰ１６）と１６個のタッチ期間（ＴＰ１〜ＴＰ１６）で時分割されることができる。
【０１３２】
この場合、１６個のタッチ期間（ＴＰ１〜ＴＰ１６）は、１６個のＬＨＢ（ＬＨＢ＃１〜ＬＨＢ＃１６）に該当する。
【０１３３】
下では、一つのフレーム時間が１６個のディスプレイ期間（ＤＰ１〜ＤＰ１６）と１６個のタッチ期間（ＴＰ１〜ＴＰ１６）に時分割された場合、指及び／またはアクティブペン２０によるタッチ入力をセンシングする方法を説明する。
【０１３４】
図８は、本発明によるタッチシステムのペン検索モードを示した図面である。図９は、本発明によるタッチシステムのペンモードを示した図面である。但し、図８及び図９は図７で一フレーム時間内に１６個のディスプレイ期間（ＤＰ１〜ＤＰ１６）を略して、タッチ期間（ＴＰ）に該当する１６個のＬＨＢ（ＬＨＢ＃１〜ＬＨＢ＃１６）のみを集めて示したものである。
【０１３５】
アクティブペン２０に対する認識処理のために、タッチシステムはペン検索モード(Pen Searching mode)で先に動作して、以後、ペンモード(Pen Mode)で動作する。
【０１３６】
図８及び図９に示されたように、タッチ表示装置１００は、ペン検索モード及びペンモードで動作する間、ビーコン信号(Beacon Signal)をアクティブペン２０に伝達するＬＨＢ期間が存在する。
【０１３７】
例えば、ビーコン信号は、タッチパネル情報（例：タッチパネル状態情報、タッチパネル識別情報、インセルタイプなどのタッチパネルタイプ情報など）、パネル駆動モード情報（例：ペン検索モード、ペンモードの識別情報）、ペン出力信号特性情報（例：周波数、パルス個数など）、ＬＨＢ駆動情報、マルチプレクサ駆動情報、パワーモード情報（例：消費電力低減のためにパネル及びペン駆動されないＬＨＢ情報など）などのうちの一つ以上を含むことができる。
【０１３８】
一方、ビーコン信号はタッチパネル(ＴＳＰ）とアクティブペン２０の間の駆動同期化のための情報を含むこともできる。ビーコン信号に含まれる各種情報はタッチ表示装置１０のルックアップテーブルに貯蔵され得る。ここで、ルックアップテーブルはアクティブペン２０と事前に共有されることができる。
【０１３９】
図８を参照すれば、一フレーム時間の間ペン検索モードが進行される時、一フレーム時間内に１６個のＬＨＢ（ＬＨＢ＃１〜ＬＨＢ＃１６）のうちで、１個以上のＬＨＢ（例：ＬＨＢ＃１、ＬＨＢ＃９）はビーコン信号伝送期間（ＢＣＯＮ）で活用されることができる。
【０１４０】
図９を参照すれば、一フレーム時間の間ペンモードが進行される時、一フレーム時間内に１６個のＬＨＢ（ＬＨＢ＃１〜ＬＨＢ＃１６）のうちで、１個以上のＬＨＢ（例：ＬＨＢ＃１）はビーコン信号伝送期間（ＢＣＯＮ）で活用されることができる。
【０１４１】
アクティブペン２０はビーコン信号伝送期間（ＢＣＯＮ）間タッチ回路３００によってタッチパネル（ＴＳＰ）に供給されたビーコン信号をペンチップを通じて受信すれば、ビーコン信号を通じてペン駆動に必要な各種情報を認知することができる。
【０１４２】
図８を参照すれば、ペン検索モード(Pen Searching mode)で、タッチ表示装置１０はフルセンシング（Full Sensing、Ｆ／Ｓ）を通じて一つ以上のアクティブペン２０を検索する。
【０１４３】
一フレーム時間の間ペン検索モードが進行される時、タッチ表示装置１０は、一フレーム時間内に１６個のＬＨＢ（ＬＨＢ＃１〜ＬＨＢ＃１６）のうちで、ビーコン信号伝送期間（ＢＣＯＮ）に該当する１個以上のＬＨＢ（例：ＬＨＢ＃１、ＬＨＢ＃９）を除いたＬＨＢ（例：ＬＨＢ＃２〜ＬＨＢ＃８、ＬＨＢ＃１０〜ＬＨＢ＃１６）でフルセンシング（Ｆ／Ｓ）を遂行する。
【０１４４】
タッチ表示装置１０のタッチ回路３００は、タッチパネル（ＴＳＰ）のすべてまたは一部のタッチ電極（ＴＥ）を同時に、または順次に駆動した以後、タッチ電極（ＴＥ）から信号を検出（センシング）することで、タッチパネル（ＴＳＰ）の全領域をセンシングするフルセンシング（Ｆ／Ｓ）を遂行することができる。
【０１４５】
フルセンシング（Ｆ／Ｓ）を通じて、タッチパネル（ＴＳＰ）の全領域で、指によるタッチ入力の位置をセンシングして、アクティブペン２０の位置をセンシングすることができる。
【０１４６】
ペン検索モード(Pen Searching mode)で、タッチ回路３００は、タッチパネル（ＴＳＰ）のタッチ電極（ＴＥ）を駆動するため、タッチパネル（ＴＳＰ）のタッチ電極（ＴＥ）でパネル駆動信号（タッチ駆動信号とも称する）を同時に供給するか、またはタッチパネル（ＴＳＰ）のタッチ電極（ＴＥ）でパネル駆動信号を順次に供給する。これによって、タッチパネル（ＴＳＰ）に供給されたパネル駆動信号はアクティブペン２０のペンチップを通じてアクティブペン２０の内部に入力される。
【０１４７】
アクティブペン２０は入力されたパネル駆動信号に応答してペン信号を生成して放射する。アクティブペン２０から放射されたペン信号は、タッチパネル２０のタッチ電極（ＴＥ）のうちアクティブペン２０が近くにある一つ以上のタッチ電極（ＴＥ）に入力される。タッチ回路３００は一つ以上のタッチ電極（ＴＥ）に入力されたペン信号を検出し、これに基づきアクティブペン２０の位置（存在如何）をセンシングすることができる。
【０１４８】
このようなペン検索モードを通じて一つ以上のアクティブペン２０が検索されれば、タッチ表示装置１０及びアクティブペン２０はペンモードで動作することができる。
【０１４９】
ペンモードで、タッチ表示装置１０は検索されたアクティブペン２０の位置及び/またはチルト(Tilt)などをセンシングし、アクティブペン２０に対するペン情報（ペン付加情報またはペンデータとも称する）を獲得することができる。
【０１５０】
ここで、ペン情報は、一例で、アクティブペン２０のペン識別情報、アクティブペン２０に存在するボタン入力情報などのペンボタン情報、アクティブペン２０のペンチップに加えられた圧力（筆圧とも称する）、アクティブペン２０に搭載されたバッテリー状態情報及びアクティブペン２０が送受信するデータに対するチェックサム情報などのうちの一つ以上を含むことができる。
【０１５１】
一フレーム時間の間ペンモードが進行される時、一フレーム時間内に１６個のＬＨＢ（ＬＨＢ＃１〜ＬＨＢ＃１６）期間のうちでビーコン信号伝送期間（ＢＣＯＮ）に該当する１個以上のＬＨＢ期間（例：ＬＨＢ＃１）を除いた複数のＬＨＢ（例：ＬＨＢ＃２〜ＬＨＢ＃１６）は、タッチ回路３００がアクティブペン２０の位置及び/またはチルト(Tilt)などをセンシングするペン位置/チルトセンシング期間（ＰＬＯＣ）に該当するＬＨＢ（ＬＨＢ＃２、ＬＨＢ＃５、ＬＨＢ＃９、ＬＨＢ＃１３）と、タッチ回路３００がアクティブペン２０に対するペン情報（ペン付加情報またはペンデータとも称する）を認識するペン情報認識期間（ＤＡＴＡ）に該当するＬＨＢ（ＬＨＢ＃３、ＬＨＢ＃６、ＬＨＢ＃７、ＬＨＢ＃１０、ＬＨＢ＃１１、ＬＨＢ＃１４、ＬＨＢ＃１５）と、タッチ回路３００が指またはノーマルペンによるタッチ入力をセンシングする指タッチセンシング期間（ＦＬＯＣ）を含むＬＨＢ（ＬＨＢ＃４、ＬＨＢ＃８、ＬＨＢ＃１２、ＬＨＢ＃１６）などを含むことができる。
【０１５２】
下では、図１０乃至図１３を参照してビーコン信号伝送期間（ＢＣＯＮ）、ペン位置／チルトセンシング期間（ＰＬＯＣ）、ペン情報認識期間（ＤＡＴＡ）、指タッチセンシング期間（ＦＬＯＣ）に対してさらに詳細に説明する。
【０１５３】
図１０は、本発明によるタッチシステムでビーコン信号伝送期間（ＢＣＯＮ）の間の動作を示した図面である。
【０１５４】
図１０を参照すれば、ペン検索モード及びペンモードでビーコン信号伝送期間（ＢＣＯＮ）に該当するＬＨＢ間に、タッチ回路３００はタッチパネル（ＴＳＰ）にビーコン信号(Beacon Signal)を供給する。ここで、ビーコン信号はタッチパネル（ＴＳＰ）のすべて、または一部のタッチ電極（ＴＥ）に印加されることができる。
【０１５５】
これによって、タッチパネル（ＴＳＰ）に接触または近接したアクティブペン２０はペンチップを通じてビーコン信号を受信する。
【０１５６】
図１１は、本発明によるタッチシステムでペン位置/チルトセンシング期間（ＰＬＯＣ）の間の動作を示した図面である。
【０１５７】
図１１を参照すれば、ペンモード(または、ペン検索モード)でペン位置／チルトセンシング期間（ＰＬＯＣ）に該当するＬＨＢの間に、タッチ回路３００はタッチパネル（ＴＳＰ）に第１パネル駆動信号（ＰＤＳ１）を供給する。
【０１５８】
ここで、第１パネル駆動信号（ＰＤＳ１）は、複数のパルスを含むパルス信号として、第１周波数（ＦＲＥＱ１）を有する。
【０１５９】
アクティブペン２０はタッチパネル（ＴＳＰ）に印加された第１パネル駆動信号（ＰＤＳ１）を、ペンチップを通じて受信し、受信された第１パネル駆動信号（ＰＤＳ１）に応答して（同期化して）ペン信号（ＰＥＮＳ）を出力する。
【０１６０】
タッチ回路３００はアクティブペン２０から出力されたペン信号（ＰＥＮＳ）をタッチパネル（ＴＳＰ）のタッチ電極（ＴＥ）を通じて受信する。
【０１６１】
図１２は、本発明によるタッチシステムでペン情報認識期間の間（ＤＡＴＡ）の動作を示した図面である。
【０１６２】
図１２を参照すれば、ペンモードでペン情報認識期間（ＤＡＴＡ）に該当するＬＨＢ間に、タッチ回路３００はタッチパネル（ＴＳＰ）で第２パネル駆動信号（ＰＤＳ２）を供給する。
【０１６３】
ここで、第２パネル駆動信号（ＰＤＳ２）は、複数のパルスを含むパルス信号として、第２周波数（ＦＲＥＱ２）を有する。
【０１６４】
アクティブペン２０はタッチパネル（ＴＳＰ）に印加された第２パネル駆動信号（ＰＤＳ２）を、ペンチップを通じて受信し、受信された第２パネル駆動信号（ＰＤＳ２）に応答して（同期化して）ペン情報信号（ＰＩＮＦＯ）を出力する。
【０１６５】
タッチ回路３００はアクティブペン２０から出力されたペン情報信号（ＰＩＮＦＯ）をタッチパネル（ＴＳＰ）のタッチ電極（ＴＥ）を通じて受信する。
【０１６６】
ペン情報認識期間（ＤＡＴＡ）の間にアクティブペン２０から出力されたペン情報信号（ＰＩＮＦＯ）はペン信号（ＰＥＮＳ）の一種である。
【０１６７】
ペン位置／チルトセンシング期間（ＰＬＯＣ）の間にアクティブペン２０から出力されるペン信号（ＰＥＮＳ）は、ハイレベルとローレベルを周期的に繰り返して何らかの意味ある情報を含まない単純なパルス信号である。しかし、ペン情報認識期間（ＤＡＴＡ）の間にアクティブペン２０から出力されたペン情報信号（ＰＩＮＦＯ）はペン信号（ＰＥＮＳ）の一種として何らかの意味ある情報を含むパルス信号である。
【０１６８】
図１３は、本発明によるタッチシステムで指タッチセンシング期間（ＦＬＯＣ）の間の動作を示した図面である。
【０１６９】
図１３を参照すれば、ペンモードで指タッチセンシング期間（ＦＬＯＣ）に該当するＬＨＢの間に、タッチ回路３００はタッチパネル（ＴＳＰ）で第３パネル駆動信号（ＰＤＳ３２）を供給する。
【０１７０】
ここで、第３パネル駆動信号（ＰＤＳ３）は、複数のパルスを含むパルス信号として、第３周波数（ＦＲＥＱ３）を有する。
【０１７１】
タッチ回路３００は第３パネル駆動信号（ＰＤＳ３）が印加されたタッチパネル（ＴＳＰ）のタッチ電極（ＴＥ）を通じてタッチセンシング信号（ＳＥＮＳ）を受信する。
【０１７２】
上で言及した第１パネル駆動信号（ＰＤＳ１）、第２パネル駆動信号（ＰＤＳ２）、及び第３パネル駆動信号（ＰＤＳ３）は複数のパルスを含むパルス信号として、等しいこともあって、少なくとも一つが異なることもある。
【０１７３】
一例で、第１パネル駆動信号（ＰＤＳ１）の第１周波数（ＦＲＥＱ１）、第２パネル駆動信号（ＰＤＳ２）の第２周波数（ＦＲＥＱ２）及び第３パネル駆動信号（ＰＤＳ３）の第３周波数（ＦＲＥＱ３）は、すべて等しいこともあって、少なくとも一つが異なることもある。
【０１７４】
他の例で、第１パネル駆動信号（ＰＤＳ１）、第２パネル駆動信号（ＰＤＳ２）、及び第３パネル駆動信号（ＰＤＳ３）それぞれの振幅はすべて等しいこともあって、少なくとも一つが異なることもある。
【０１７５】
一方、アクティブペン２０の機能が多くなる、またはタッチ表示装置１０がアクティブペン２０を活用して多様な多くの機能を提供するほど、アクティブペン２０でタッチ表示装置１０に提供されるアクティブペン２０のペン情報信号（ＰＩＮＦＯ）には多様な多くのペン情報が含まれることがある。
【０１７６】
しかし、アクティブペン２０の出力信号特性上、多様で多くのペン情報をペン情報信号（ＰＩＮＦＯ）に示すようになれば、ペン情報信号（ＰＩＮＦＯ）の信号長が長くなるためペン情報信号（ＰＩＮＦＯ）の伝送時間が長くなる。
【０１７７】
よって、さらに多様で多くのペン情報を含むペン情報信号（ＰＩＮＦＯ）を制限された時間（決まったＬＨＢ）内で速かに送ることができる方法が必要である。
【０１７８】
このために、アクティブペン２０に対する多様で多くのペン情報を正確に表現するが、より短い長さ（ペン情報を示すシンボルストリングまたはビット列の長さ）で表現することが必要である。すなわち、多様で多くのペン情報が含まれるペン情報信号（ＰＩＮＦＯ）の信号長さを短くすることが必要である。
【０１７９】
以下では、さらに多様で多くのペン情報を含むペン情報信号（ＰＩＮＦＯ）を制限された時間（決まったＬＨＢ）内で速かに送ることができる方法と、このために、アクティブペン２０に対する多様で多くのペン情報をより短い長さ（ペン情報を示すシンボルストリングまたはビット列の長さ）で正確に表現する方法に関して説明する。
【０１８０】
下では、説明の便宜のために、一つのフレーム時間が１６のディスプレイ期間（ＤＰ１〜ＤＰ１６）と１６のタッチ期間（ＴＰ１〜ＴＰ１６）に時分割されて、１６のタッチ期間（ＴＰ１〜ＴＰ１６）が１６のＬＨＢ（ＬＨＢ＃１〜ＬＨＢ＃１６）に該当することで例える。すなわち、一つのフレーム時間内で、１６のＬＨＢ（ＬＨＢ＃１〜ＬＨＢ＃１６）の間、指及び／またはアクティブペン２０によるタッチ入力をセンシングすることを例で挙げる。
【０１８１】
以下で記載するタッチパネル（ＴＳＰ）は簡単にパネルとも記載して、表示パネル１１０の外部に存在する外装型であることもあって、表示パネル１１０の内部に存在する内蔵型であることもある。
【０１８２】
ここで、タッチパネル（ＴＳＰ）が表示パネル１１０の内部に存在することは、タッチ電極（ＴＥ）が表示パネル１１０の内部にパターニングされているということを意味することができる。
【０１８３】
タッチパネル（ＴＳＰ）が表示パネル１１０の内部に存在する場合、タッチパネル（ＴＳＰ）は表示パネル１１０を意味することもできる。
【０１８４】
図１４は、本発明によるタッチシステムで、アクティブペン２０が第２パネル駆動信号（ＰＤＳ２）に応答して出力されるペン情報信号（ＰＩＮＦＯ）でペン情報表現のために二つの状態（State1、State２）及び二つのシンボル値（０、１）を利用する場合、ペン情報信号（ＰＩＮＦＯ）での二つの状態区間を示した例示図である。図１５は本発明によるタッチシステムで、二つの状態（State１、State２）及び二つのシンボル値（０、１）を利用して２桁シンボルストリング及び３桁シンボルストリングで表現したペン情報を示した図面である。図１６は、本発明によるタッチシステムで、ペン情報認識期間の間の信号タイミングを例示的に示した図面であり、二つの状態（State１、State２）及び二つのシンボル値（０、１）を利用して８桁シンボルストリングでペン情報が表現されたペン情報信号（ＰＩＮＦＯ）を示した図面である。
【０１８５】
本発明によるタッチシステムは、お互いに連動するタッチ表示装置１０及びアクティブペン２０を含むことができる。
【０１８６】
タッチ表示装置１０は複数のタッチ電極（ＴＥ）が配置されたタッチパネル（ＴＳＰ）と、タッチパネル（ＴＳＰ）を駆動してセンシングするタッチ回路３００などを含むことができる。
【０１８７】
さらに多様で多くのペン情報を含むペン情報信号（ＰＩＮＦＯ）を制限された時間（決まったＬＨＢ）内で速かに送ることができる方法と、このために、アクティブペン２０に対する多様で多くのペン情報をより短い長さ（ペン情報を示すシンボルストリングまたはビット列の長さ）で正確に表現する方法を説明する前に、幾つかの種類のタッチ期間に関して先ず詳しく説明する。
【０１８８】
タッチ表示装置１０は一フレーム時間内でタッチパネル（ＴＳＰ）に対するタッチ入力をセンシングするための１６個のタッチ期間（ＴＰ）に該当する１６個のＬＨＢ（ＬＨＢ＃１〜ＬＨＢ＃１６）の間に、アクティブペン２０及び／または指にタッチ入力をセンシングして、アクティブペン２０に対するペン情報を認識しなければならない。
【０１８９】
このために、一フレーム時間内で１６のタッチ期間（ＴＰ）に該当する１６のＬＨＢ（ＬＨＢ＃１〜ＬＨＢ＃１６）は、ペン位置／チルトセンシング期間（ＰＬＯＣ）、ペン情報認識期間（ＤＡＴＡ）、指タッチセンシング期間（ＦＬＯＣ）などに割り当てされることができる。
【０１９０】
図１４を参照すれば、ペン位置／チルトセンシング期間（ＰＬＯＣ）に割り当てされたＬＨＢ（ＬＨＢ＃２、ＬＨＢ＃５、ＬＨＢ９、ＬＨＢ１３）の間に、図１１に示されたように、タッチ回路３００はタッチパネル（ＴＳＰ）に第１パネル駆動信号（ＰＤＳ１）を供給して、アクティブペン２０から出力されたペン信号を、タッチパネル（ＴＳＰ）を通じて受信して、ペン信号に基づきアクティブペン２０に対する位置及びチルトのうちの少なくとも一つをセンシングする。
【０１９１】
図１４を参照すれば、ペン情報認識期間（ＤＡＴＡ）に割り当てされたＬＨＢ（ＬＨＢ＃３、ＬＨＢ＃６、ＬＨＢ７、ＬＨＢ１０、ＬＨＢ＃１１、ＬＨＢ＃１４、ＬＨＢ＃１５）の間に、図１２に示されたように、タッチ回路３００はタッチパネル（ＴＳＰ）に第２パネル駆動信号（ＰＤＳ２）を供給して、アクティブペン２０から出力されたペン情報信号（ＰＩＮＦＯ）を、タッチパネル（ＴＳＰ）を通じて受信してペン情報信号（ＰＩＮＦＯ）で表現されたアクティブペン２０に対するペン情報を認識することができる。
【０１９２】
図１４を参照すれば、指タッチセンシング期間（ＦＬＯＣ）に割り当てされたＬＨＢ（ＬＨＢ＃４、ＬＨＢ＃８、ＬＨＢ＃１２、ＬＨＢ＃１６）の間に、タッチ回路３００がタッチパネル（ＴＳＰ）に第３パネル駆動信号（ＰＤＳ３）を供給してタッチパネル（ＴＳＰ）でのタッチ電極（ＴＥ）から受信される信号に基づき指またはノーマルペンによるタッチ入力をセンシングすることができる。
【０１９３】
前述した発明によれば、タッチ期間を通じて、タッチ表示装置１０はアクティブペン２０の位置、チルト、各種付加情報を分かることができ、指などの通常のタッチ入力に対する位置も認識できる。
【０１９４】
第１パネル駆動信号（ＰＤＳ１）、第２パネル駆動信号（ＰＤＳ２）及び第３パネル駆動信号（ＰＤＳ３）それぞれは複数のパルスを含むパルス信号として、ハイレベルとローレベルとの間で繰り返しスイング(Swing)できる。
【０１９５】
第１パネル駆動信号（ＰＤＳ１）、第２パネル駆動信号（ＰＤＳ２）及び第３パネル駆動信号（ＰＤＳ３）は周波数がすべて等しいこともある。
【０１９６】
このように、お互いに異なる用途を有するパネル駆動信号（ＰＤＳ１、ＰＤＳ２、ＰＤＳ３）の周波数を等しくすることで、パネル駆動信号（ＰＤＳ１、ＰＤＳ２、ＰＤＳ３）の生成及び供給が容易になり、パネル駆動信号（ＰＤＳ１、ＰＤＳ２、ＰＤＳ３）に応答し、それぞれ他の動作（駆動）をしなければならないアクティブペン２０の負担を減らすことができ、タッチ表示装置１０とアクティブペン２０との間の全体的な駆動制御が容易になることができる。
【０１９７】
これと異なり、第１パネル駆動信号（ＰＤＳ１）、第２パネル駆動信号（ＰＤＳ２）及び第３パネル駆動信号（ＰＤＳ３）のうちで少なくとも一つは他の周波数を有することもできる。
【０１９８】
このように、お互いに異なる用途を有するパネル駆動信号（ＰＤＳ１、ＰＤＳ２、ＰＤＳ３）のうちの少なくとも一つの周波数を異なるようにすることで、アクティブペン２０はパネル駆動信号（ＰＤＳ１、ＰＤＳ２、ＰＤＳ３）それぞれに応答して該当する動作（駆動）を正確に遂行することができるし、タッチ表示装置１０及びアクティブペン２０の間の全体的な駆動制御を精密に遂行することができる。
【０１９９】
一方、図１４に示されたように、一フレーム時間内で１６個のタッチ期間（ＴＰ）に該当する１６のＬＨＢ（ＬＨＢ＃１〜ＬＨＢ＃１６）のうち一つ以上のＬＨＢ（ＬＨＢ＃１）は、タッチ回路３００がタッチ期間でシステム動作、状態などをアクティブペン２０に知らせ、アクティブペン２０との連動を通じた駆動制御のために、ビーコン信号伝送期間（ＢＣＯＮ）に割り当てされることができる。
【０２００】
このようなビーコン信号伝送期間（ＢＣＯＮ）に割り当てされたＬＨＢ（ＬＨＢ＃１）内に、タッチ回路３００はビーコン信号を、タッチパネル（ＴＳＰ）を通じてアクティブペン２０に伝達することができる。
【０２０１】
このようなビーコン信号伝送期間（ＢＣＯＮ）は、次のビーコン信号伝送期間（ＢＣＯＮ）以前までの決まった制限時間期間内でペン情報認識期間（ＤＡＴＡ）及びペン位置／チルトセンシング期間（ＰＬＯＣ）の前に存在することができる。
【０２０２】
例えば、ビーコン信号は、タッチパネル情報（例：タッチパネル状態情報、タッチパネル識別情報、インセルタイプなどのタッチパネルタイプ情報など）、パネル駆動モード情報（例：ペン検索モード、ペンモードの識別情報）、ペン出力信号特性情報（例：周波数、パルス個数など）、タッチ駆動情報（ＬＨＢ駆動情報）、マルチプレクサ駆動情報、パワーモード情報（例：消費電力低減のためにパネル及びペン駆動されないＬＨＢ情報など）、タッチパネル（ＴＳＰ）とアクティブペン２０との間の駆動同期化のための駆動同期化情報のうちの一つ以上がパルスで表現された信号であることがある。
【０２０３】
ビーコン信号に含まれる各種情報は、タッチ表示装置１０内のルックアップテーブル(Look Up Table)に貯蔵され得る。
【０２０４】
ここで、ルックアップテーブルはアクティブペン２０と事前に共有されることができる。
【０２０５】
前述したように、タッチ回路３００はタッチパネル（ＴＳＰ）にパネル駆動信号を供給する前にビーコン信号を、タッチパネル（ＴＳＰ）を通じてアクティブペン２０に伝達することで、タッチ回路３００はタッチ期間でシステム動作、状態などをアクティブペン２０に知らせることができ、アクティブペン２０との連動を通じた駆動制御が正確に遂行されることができる。
【０２０６】
前述したように、ペン情報認識期間（ＤＡＴＡ）に割り当てされたＬＨＢ（ＬＨＢ＃３、ＬＨＢ＃６、ＬＨＢ＃７、ＬＨＢ＃１０、ＬＨＢ＃１１、ＬＨＢ＃１４、ＬＨＢ＃１５）の間に、タッチ回路３００は、タッチパネル（ＴＳＰ）にペン情報認識のための第２パネル駆動信号（ＰＤＳ２）を供給する。
【０２０７】
これによって、アクティブペン２０はタッチパネル（ＴＳＰ）に供給された第２パネル駆動信号（ＰＤＳ）を、ペンチップを通じて受信し、入力された第２パネル駆動信号（ＰＤＳ２）に応答してあらかじめ決まった各種ペン情報を表現するペン情報信号（ＰＩＮＦＯ）を生成して決まったタイミングで出力する。
【０２０８】
タッチ回路３００は、アクティブペン２０で第２パネル駆動信号（ＰＤＳ２）に応答して出力されるペン情報信号（ＰＩＮＦＯ）を、タッチパネル（ＴＳＰ）を通じて受信する。
【０２０９】
タッチ回路３００は受信されたペン情報信号（ＰＩＮＦＯ）に基づきアクティブペン２０に対するペン情報を認識することができる。
【０２１０】
ここで、ペン情報はアクティブペン２０でタッチ表示装置１０に伝達する情報として、またアクティブペン２０と関連される各種付加情報として、一例で、ペン識別情報、ペンボタン情報、圧力（筆圧）、バッテリー状態情報及びチェックサム情報などのうちの一つ以上を含むことができる。
【０２１１】
このようなペン情報の認識を通じて、タッチ表示装置１０はアクティブペン２０の状態や情報を正確に認識することができ、またはアクティブペン２０での使用者アクションを確認することができ、またはアクティブペン２０との送受信情報の欠落の有無を確認することができ、またはアクティブペン２０に関連した機能を正確に遂行することができる。
【０２１２】
図１４に示されたように、第２パネル駆動信号（ＰＤＳ２）及びペン情報信号（ＰＩＮＦＯ）それぞれは複数のパルスを含むパルス信号である。
【０２１３】
ペン情報信号（ＰＩＮＦＯ）は第２パネル駆動信号（ＰＤＳ２）に同期化して生成されることができる。
【０２１４】
これによって、ペン情報信号（ＰＩＮＦＯ）は第２パネル駆動信号（ＰＤＳ２）と周波数が等しいか、または実質的に等しいことがある。ここで、ペン情報信号（ＰＩＮＦＯ）の周波数と第２パネル駆動信号（ＰＤＳ２）の周波数とが実質的に等しいということは、ペン情報信号（ＰＩＮＦＯ）の周波数と第２パネル駆動信号（ＰＤＳ２）の周波数とがあらかじめ定義された許容誤差範囲以内であるということを意味する。
【０２１５】
ペン情報信号（ＰＩＮＦＯ）の伝達は、いくつかのシンボル(Symbol)を含むシンボルストリング(Symbol String)を示すパルスでなされる。
【０２１６】
ペン情報信号（ＰＩＮＦＯ）において、シンボルストリングはペン情報を意味して、各シンボルはペン情報を作るための部分情報であることができる。
【０２１７】
シンボル及びシンボルストリングはビット及びビット列とも称することができて、文字及び文字列とも称することができる。
【０２１８】
ペン情報表現のために使われるシンボル(Symbol)の値（すなわち、シンボル値(sym)）の種類の個数は既定であり得る。
【０２１９】
ペン情報信号（ＰＩＮＦＯ）をなすパルスは一つまたは二つ以上のパルス区間を有することができる。
【０２２０】
各パルス区間は一つのシンボル値(sym)を表現する。
【０２２１】
各パルス区間は時間的な長さが等しいことがある。
【０２２２】
各パルス区間のパルス個数は等しいことがある。
【０２２３】
各パルス区間は表現されたシンボル値(sym)に対応する状態(State)を有する。
【０２２４】
図１４乃至図１６に示されたように、アクティブペン２０は二つの種類のシンボル値（０、１）を利用してペン情報を示すシンボルストリングを形成して、シンボルストリングに対応するパルスでなされたペン情報信号（ＰＩＮＦＯ）を生成することができる。
【０２２５】
図１４を参照すれば、ペン情報を示したシンボルストリングで、各シンボルのシンボル値(sym)は二つのシンボル値（例：０、１）のうちの一つであることがある。
【０２２６】
二つのシンボル値（０、１）のうち“第１シンボル値（０）”は第２パネル駆動信号（ＰＤＳ２）のパルスと位相が等しいパルスで表現する。
【０２２７】
このように、第１シンボル値（例：０）で表現されたパルスは“正位相状態(State１)”を有するという。
【０２２８】
そして、第１シンボル値（０）で表現されたパルスでなされたパルス区間は“正位相状態区間”と称する。
【０２２９】
二つのシンボル値（０、１）のうち“第２シンボル値（１）”は、第２パネル駆動信号（ＰＤＳ２）のパルスと位相が異なるパルス（位相が、１８０度差があるパルス）で表現する。
【０２３０】
このように、第２シンボル値（例：１）で表現されたパルスは、“逆位相状態(State２)”を有するという。
【０２３１】
そして、第２シンボル値（１）で表現されたパルスでなされたパルス区間は、“逆位相状態区間”と称する。
【０２３２】
ペン情報信号（ＰＩＮＦＯ）において、第１シンボル値（０）で表現されたパルスでなされたパルス区間である正位相状態区間と、第２シンボル値（１）で表現されたパルスでなされたパルス区間である逆位相状態区間は等しいパルス個数または等しい時間長さを有することができる。
【０２３３】
前述したように、ペン情報信号（ＰＩＮＦＯ）が等しいパルス長においてどれだけ多くの情報表現力を有するかは、シンボル値(sym)の種類の個数によって決まる。
【０２３４】
前述したように、二つの種類のシンボル値（０、１）を利用してペン情報信号（ＰＩＮＦＯ）が生成される場合、すなわち、第１シンボル値（０）で表現されたパルスでなされたパルス区間である正位相状態区間と、第２シンボル値（１）で表現されたパルスでなされたパルス区間である逆位相状態区間のうちの一つ以上を含むペン情報信号（ＰＩＮＦＯ）が生成される場合、ペン情報信号（ＰＩＮＦＯ）の情報表現力に対して、図１５を参照して例示的に調べる。
【０２３５】
図１５を参照すれば、ペン情報信号（ＰＩＮＦＯ）が２個のシンボルに対応するパルスでペン情報を表現する場合（すなわち、２桁シンボルストリングに対応するパルスでペン情報を表現する場合）、２桁シンボルストリングで１番目シンボルと２番目シンボルそれぞれは第１、第２シンボル値（０、１）のうち一つであることがある。
【０２３６】
よって、二つの種類のシンボル値（０、１）を活用して作われることができる２桁シンボルストリングは四つ（００、０１、１０、１１）である。
【０２３７】
すなわち、ペン情報信号（ＰＩＮＦＯ）が２桁シンボルストリングに対応するパルスでペン情報を表現し、各シンボルは二つのシンボル値（０、１）を有することができる場合、表現可能なペン情報の種類はシンボル値種類個数（二つ）のシンボル桁個数（２個）乗（２２＝４）に該当する。
【０２３８】
例えば、２桁シンボルストリングが００である場合、ペン情報信号（ＰＩＮＦＯ）は、第１シンボル値（０）で表現されたパルスでなされた正位相状態区間と、第１シンボル値（０）で表現されたパルスでなされた正位相状態区間を順に含むことができる。
【０２３９】
他の例を挙げると、２桁シンボルストリングが０１である場合、ペン情報信号（ＰＩＮＦＯ）は、第１シンボル値（０）で表現されたパルスでなされた正位相状態区間と、第２シンボル値（１）で表現されたパルスでなされた逆位相状態区間を順に含むことができる。
【０２４０】
また他の例を挙げると、２桁シンボルストリングが１０である場合、ペン情報信号（ＰＩＮＦＯ）は、第２シンボル値（１）で表現されたパルスでなされた逆位相状態区間と、第１シンボル値（０）で表現されたパルスでなされた正位相状態区間を順に含むことができる。
【０２４１】
また他の例を挙げると、２桁シンボルストリングが１１である場合、ペン情報信号（ＰＩＮＦＯ）は、第２シンボル値（１）で表現されたパルスでなされた逆位相状態区間と、第２シンボル値（１）で表現されたパルスでなされた逆位相状態区間を順に含むことができる。
【０２４２】
図１５を参照すれば、ペン情報信号（ＰＩＮＦＯ）が３個のシンボルに対応するパルスでペン情報を表現する場合（すなわち、３桁シンボルストリングに対応するパルスでペン情報を表現する場合）、３桁シンボルストリングで１番目シンボル、２番目シンボル及び３番目シンボルそれぞれは第１、第２シンボル値（０、１）のうちの一つであることがある。
【０２４３】
よって、二つの種類のシンボル値（０、１）を活用して作われることができる３桁シンボルストリングは八つ（０００、００１、０１０、０１１、１００、１０１、１１０、１１１）である。
【０２４４】
すなわち、ペン情報信号（ＰＩＮＦＯ）が３桁シンボルストリングに対応するパルスでペン情報を表現し、各シンボルは二つのシンボル値（０、１）を有することができる場合、表現可能なペン情報の種類はシンボル値種類個数（二つ）のシンボル桁個数（３個）乗（２３＝８）に該当する。
【０２４５】
例えば、３桁シンボルストリングが０００である場合、ペン情報信号（ＰＩＮＦＯ）は、第１シンボル値（０）で表現されたパルスでなされた正位相状態区間を３回含むことができる。
【０２４６】
他の例を挙げると、３桁シンボルストリングが０１０である場合、ペン情報信号（ＰＩＮＦＯ）は、第１シンボル値（０）で表現されたパルスでなされた正位相状態区間と、第２シンボル値（１）で表現されたパルスでなされた逆位相状態区間と、第１シンボル値（０）で表現されたパルスでなされた正位相状態区間を順に含むことができる。
【０２４７】
図１６の例示は、ペン情報信号（ＰＩＮＦＯ）がペン情報を表現する８桁のシンボルストリング（０１０００１０１）を示すパルスでなされた場合である。
【０２４８】
８桁のシンボルストリングのうちで以前の４桁のシンボルストリングを示すパルスは１番目センシング期間（１／２）の間に出力されて、次の４桁のシンボルストリングを示すパルスは２番目センシング期間（２／２）の間に出力されることができる。
【０２４９】
８桁のシンボルストリング（０１０００１０１）をなす８個のシンボル区間（パルス区間または信号区間、ＰＵＳ１〜ＰＵＳ８）は等しいパルス個数または等しい時間長さを有することができ、他のパルス個数または他の時間長さを有することもできる。
【０２５０】
ペン情報信号（ＰＩＮＦＯ）がペン情報を表現する８桁のシンボルストリング（０１０００１０１）を示すパルスは、正位相状態区間、逆位相状態区間、正位相状態区間、正位相状態区間、正位相状態区間、逆位相状態区間、正位相状態区間、逆位相状態区間の順になっている。
【０２５１】
図１７は、本発明によるタッチシステムで、アクティブペン２０が第２パネル駆動信号（ＰＤＳ２）に応答して出力されるペン情報信号（ＰＩＮＦＯ）でペン情報表現のために三つの状態（State１、２、３）及び三つのシンボル値（０、１、−）を利用する場合、ペン情報信号（ＰＩＮＦＯ）での三つの状態区間を示した例示図である。図１８は、本発明によるタッチシステムで、三つの状態（State1、２、３）及び三つのシンボル値（０、１、−）を利用して２桁シンボルストリング及び３桁シンボルストリングで表現したペン情報を示した図面である。図１９は、本発明によるタッチシステムで、ペン情報認識期間の間の信号タイミングを例示的に示した図面であり、三つの状態（State１、２、３）及び三つのシンボル値（０、１、−）を利用して８桁シンボルストリングでペン情報が表現されたペン情報信号（ＰＩＮＦＯ）を示した図面である。図２０は、本発明によるタッチシステムで、アクティブペン２０が第２パネル駆動信号（ＰＤＳ２）に応答して出力されるペン情報信号（ＰＩＮＦＯ）でペン情報表現のために三つの状態（State1、２、３）及び三つのシンボル値（０、１、−）を利用する場合、ペン情報信号（ＰＩＮＦＯ）での三つの状態区間のうちのパッシブ状態区間の四つの例示である。
【０２５２】
図１７乃至図１９に示されたように、さらに多様で多くのペン情報を含むペン情報信号（ＰＩＮＦＯ）を制限された時間（決まったＬＨＢ）内で速かに送ることができ、このために、アクティブペン２０に対する多様で多くのペン情報をより短い長さ（ペン情報を示すシンボルストリングまたはビット列の長さ）で正確に表現するために、正位相状態に対応する第１シンボル値（０）と逆位相状態に対応する第２シンボル値（１）に加えて、信号状態がパッシブ状態に対応する第３シンボル値（−）を追加的に利用する。
【０２５３】
アクティブペン２０は、三つの種類のシンボル値（０、１、−）を利用してペン情報を示す所望の桁程度のシンボルストリングを形成し、シンボルストリングに対応するパルスでなされたペン情報信号（ＰＩＮＦＯ）を生成することができる。
【０２５４】
図１７を参照すれば、ペン情報を示したシンボルストリングで、各シンボルのシンボル値(sym)は、三つのシンボル値（例：０、１、−）のうちの一つであることがある。
【０２５５】
三つのシンボル値（０、１、−）のうち“第１シンボル値（０）”は第２パネル駆動信号（ＰＤＳ２）のパルスと位相が等しいパルスで表現する。
【０２５６】
このように、第１シンボル値（例：０）で表現されたパルスは“正位相状態(State１)”を有するという。
【０２５７】
そして、第１シンボル値（０）で表現されたパルスでなされたパルス区間は“正位相状態区間”と称する。
【０２５８】
三つのシンボル値（０、１、−）のうち“第２シンボル値（１）”は、第２パネル駆動信号（ＰＤＳ２）のパルスと位相が異なるパルス（位相に１８０度の差があるパルス）で表現する。
【０２５９】
このように、第２シンボル値（例：１）で表現されたパルスは“逆位相状態(State１)”を有するという。
【０２６０】
そして、第２シンボル値（１）で表現されたパルスでなされたパルス区間は“逆位相状態区間”と称する。
【０２６１】
三つのシンボル値（０、１、−）のうち“第３シンボル値（−）”は、第１シンボル値（０）及び第２シンボル値（１）と異なる値として、正位相状態区間及び逆位相状態区間と区別が可能な信号形態または信号出力状態などで表現されることができる。
【０２６２】
このように、ペン情報信号（ＰＩＮＦＯ）で、第３シンボル値（例：−）で表現される区間は“パッシブ(Passive)状態(State３)”を有するという。
【０２６３】
そして、ペン情報信号（ＰＩＮＦＯ）で、第３シンボル値（例：−）で表現される区間は“パッシブ状態区間”と称する。
【０２６４】
パッシブ状態区間は、正位相状態区間と逆位相状態区間とで区分される区間である。
【０２６５】
図２０を参照すれば、パッシブ状態区間は、一例で、グラウンド電圧を有するグラウンド電圧区間（ＧＮＤ）と、グラウンド電圧（ＧＮＤ）以外に特定ＤＣ電圧を有するＤＣ電圧区間（ＤＣ）と、アクティブペン２０でどのような電圧または信号も出力されず信号が一時的に切れた（中断された）形態になるフローティング区間（ＦＬＯＡＴ）と、正位相状態区間及び逆位相状態区間でのパルスと区分が可能なパルスでなされたパルス区間（ＯＦＦ＿ＰＵＬＳＥ）などのうちの一つであることができる。ここで、グラウンド電圧区間（ＧＮＤ）及びＤＣ電圧区間（ＤＣ）は振幅が０(Zero)であるパルス区間としても見られる。
【０２６６】
このように、パッシブ状態区間を多様に具現することができることで、アクティブペン２０及びタッチ回路３００などの駆動環境に好適なパッシブ状態区間を具現することができる。
【０２６７】
ペン情報信号（ＰＩＮＦＯ）で、第１シンボル値（０）で表現されたパルスでなされたパルス区間である正位相状態区間と、第２シンボル値（１）で表現されたパルスでなされたパルス区間である逆位相状態区間と、第３シンボル値（−）で表現されるパッシブ状態区間は等しいパルス個数または等しい時間長さを有することができる。
【０２６８】
前述したように、ペン情報信号（ＰＩＮＦＯ）が等しいパルス長においてどれだけ多くの情報表現力を有するかは、シンボル値(sym)の種類の個数によって決まる。
【０２６９】
前述したように、三つの種類のシンボル値（０、１、−）を利用してペン情報信号（ＰＩＮＦＯ）が生成される場合、すなわち、第１シンボル値（０）で表現されたパルスでなされたパルス区間である正位相状態区間と、第２シンボル値（１）で表現されたパルスでなされたパルス区間である逆位相状態区間と、第３シンボル値（−）で表現されるパッシブ状態区間のうちの一つ以上を含むペン情報信号（ＰＩＮＦＯ）が生成される場合、ペン情報信号（ＰＩＮＦＯ）の情報表現力に関して、図１８を参照して例示的に説明する。
【０２７０】
図１８を参照すれば、ペン情報信号（ＰＩＮＦＯ）が２個のシンボルに対応するパルスでペン情報を表現する場合（すなわち、２桁シンボルストリングに対応するパルスでペン情報を表現する場合）、２桁シンボルストリングで１番目シンボルと２番目シンボルそれぞれは第１、第２、第３シンボル値（０、１、−）のうちの一つであることがある。
【０２７１】
よって、三つの種類のシンボル値（０、１、−）を活用して形成されることができる２桁シンボルストリングは９種（００、０１、０−、１０、１１、１−、−０、−１、−−）である。
【０２７２】
すなわち、ペン情報信号（ＰＩＮＦＯ）が２桁シンボルストリングに対応するパルスでペン情報を表現し、各シンボルは三つのシンボル値（０、１、−）を有することができる場合、表現可能なペン情報の種類はシンボル値種類個数（三つ）のシンボル桁個数（２個）乗（３２＝９）に該当する。
【０２７３】
例えば、２桁シンボルストリングが０１である場合、ペン情報信号（ＰＩＮＦＯ）は、第１シンボル値（０）で表現されたパルスでなされた正位相状態区間と、第２シンボル値（１）で表現されたパルスでなされた逆位相状態区間を順に含むことができる。
【０２７４】
他の例を挙げると、２桁シンボルストリングが１−である場合、ペン情報信号（ＰＩＮＦＯ）は、第２シンボル値（１）で表現されたパルスでなされた逆位相状態区間と、第３シンボル値（−）で表現されるパッシブ状態区間を順に含むことができる。
【０２７５】
図１４と図１８とを比べて、ペン情報が表現される長さが２桁シンボルストリングで等しい時、図１４でのように、二つのシンボル値（０、１）を利用する場合、２桁シンボルストリングで表現可能なペン情報の種類は４個（２２）であるが、図１８でのように、三つのシンボル値（０、１、−）を利用する場合、２桁シンボルストリングで表現可能なペン情報の種類は９個（３２）である。
【０２７６】
すなわち、２個のシンボル値（０、１）を利用する場合に比べて、３個のシンボル値（０、１、−）を利用する場合、ペン情報信号（ＰＩＮＦＯ）の信号長さ（すなわち、等しいシンボルストリング長さ）が等しい状況でさらに多くの情報表現が可能である。
【０２７７】
言い換えれば、シンボル値種類を多くすることで、（すなわち、ペン情報信号（ＰＩＮＦＯ）で、シンボル値種類に対応する信号パターンの多様性を高めることで、）ペン情報信号（ＰＩＮＦＯ）の信号長さ（すなわち、等しいシンボルストリング長さ）が等しい状況でさらに多くの情報表現が可能である。
【０２７８】
前述した発明によれば、決まった制限時間内にペン情報信号（ＰＩＮＦＯ）を通じて伝達することができるペン情報量をさらに増加させることができる。よって、タッチ表示装置１０はアクティブペン２０に対する多くのペン情報をさらに迅速で正確に認識することができる。
【０２７９】
図１８を参照すれば、ペン情報信号（ＰＩＮＦＯ）が３個のシンボルに対応するパルスでペン情報を表現する場合（すなわち、３桁シンボルストリングに対応するパルスでペン情報を表現する場合）、３桁シンボルストリングで１番目シンボル、２番目シンボル及び３番目シンボルそれぞれは第１、第２、第３シンボル値（０、１、−）のうちの一つであることがある。
【０２８０】
よって、三つの種類のシンボル値（０、１、−）を活用して形成することができる３桁シンボルストリングは総２７種類（０００、００１、００−、０１０、０１１、０１−、…、−−０、−−１、−−−）である。
【０２８１】
すなわち、ペン情報信号（ＰＩＮＦＯ）が３桁シンボルストリングに対応するパルスでペン情報を表現し、各シンボルは三つのシンボル値（０、１、−）を有することができる場合、表現可能なペン情報の種類はシンボル値種類個数（三つ）のシンボル桁個数（３個）乗（３３＝２７）に該当する。
【０２８２】
例えば、３桁シンボルストリングが０１０である場合、ペン情報信号（ＰＩＮＦＯ）は、第１シンボル値（０）で表現されたパルスでなされた正位相状態区間と、第２シンボル値（１）で表現されたパルスでなされた逆位相状態区間と、第１シンボル値（０）で表現されたパルスでなされた正位相状態区間を順に含むことができる。
【０２８３】
他の例を挙げると、３桁シンボルストリングが０１−である場合、ペン情報信号（ＰＩＮＦＯ）は、第１シンボル値（０）で表現されたパルスでなされた正位相状態区間と、第２シンボル値（１）で表現されたパルスでなされた逆位相状態区間と、第１シンボル値（０）で表現されたパルスでなされた正位相状態区間と、第３シンボル値（−）で表現されるパッシブ状態区間を順に含むことができる。
【０２８４】
図１４と図１８とを比べて、ペン情報が表現される長さが３桁シンボルストリングで等しい時、図１４でのように、二つのシンボル値（０、１）を利用する場合、３桁シンボルストリングで表現可能なペン情報の種類は８個（２３）であるが、図１８でのように、三つのシンボル値（０、１、−）を利用する場合、３桁シンボルストリングで表現可能なペン情報の種類は２７個（３３）である。
【０２８５】
すなわち、２個のシンボル値（０、１）を利用する場合に比べて、３個のシンボル値（０、１、−）を利用する場合、ペン情報信号（ＰＩＮＦＯ）の信号長さ（すなわち、等しいシンボルストリング長さ）が等しい状況でさらに多くの情報表現が可能である。
【０２８６】
言い換えれば、シンボル値種類を多くすることで、（すなわち、ペン情報信号（ＰＩＮＦＯ）で、シンボル値種類に対応する信号パターンの多様性を高めることで、）ペン情報信号（ＰＩＮＦＯ）の信号長さ（すなわち、等しいシンボルストリング長さ）が等しい状況でさらに多くの情報表現が可能である。
【０２８７】
図１９の例示は、ペン情報信号（ＰＩＮＦＯ）がペン情報を表現する８桁のシンボルストリング（０１−０１−０−）を示すパルスでなされた場合である。
【０２８８】
８桁のシンボルストリングのうちで以前の４桁のシンボルストリングを示すパルスは、１番目センシング期間（１／２）の間に出力され、次の４桁のシンボルストリングを示すパルスは、２番目センシング期間（２／２）の間に出力されることができる。
【０２８９】
８桁のシンボルストリング（０１−０１−０−）を成す８個のシンボル区間（パルス区間または信号区間、ＰＵＳ１〜ＰＵＳ８）は等しいパルス個数または等しい時間長さを有することができ、他のパルス個数または他の時間長さを有することもできる。
【０２９０】
ペン情報信号（ＰＩＮＦＯ）がペン情報を表現する８桁のシンボルストリング（０１−０１−０−）を示すパルスは、正位相状態区間、逆位相状態区間、パッシブ状態区間、正位相状態区間、逆位相状態区間、パッシブ状態区間、正位相状態区間、パッシブ状態区間が順になっている。
【０２９１】
前述したように、アクティブペン２０が三つのシンボル値（０、１、−）を利用して、表現しようとするペン情報を表現するシンボルストリングに対応するパルスでなされたペン情報信号（ＰＩＮＦＯ）を生成して送る場合に関して、簡略に再び説明する。
【０２９２】
この場合、ペン情報信号（ＰＩＮＦＯ）は、第１シンボル値（０）に対応する正位相状態区間と、第２シンボル値（１）に対応する逆位相状態区間と、第３シンボル値（−）に対応するパッシブ状態区間のうち１種類以上を一つ以上含むことができる。
【０２９３】
ここで、第１シンボル値（０）、第２シンボル値（１）及び第３シンボル値（−）はお互いに異なる値として、多様に設定されることができる。
【０２９４】
タッチ回路３００は、このようなペン情報信号（ＰＩＮＦＯ）を受信して、信号形態（パルス形態、電圧出力状況など）に基づき、正位相状態区間、逆位相状態区間及びパッシブ状態区間を識別することができる。
【０２９５】
ペン情報信号（ＰＩＮＦＯ）で、正位相状態区間は第１シンボル値（０）を示し、逆位相状態区間は第２シンボル値（１）を示し、パッシブ状態区間は第３シンボル値（−）を示す。
【０２９６】
決まった制限時間内に伝送可能なペン情報信号（ＰＩＮＦＯ）の長さがＮ桁シンボルストリング（Ｎ桁ビット列、Ｎ桁文字列）である場合のペン情報信号（ＰＩＮＦＯ）の情報表現力（情報伝達量）を詳しく説明する。
【０２９７】
ペン情報信号（ＰＩＮＦＯ）は第１シンボル値（０）に対応する正位相状態区間、第２シンボル値（１）に対応する逆位相状態区間及び第３シンボル値（−）に対応するパッシブ状態区間を含む三つの状態区間のうちで重複を許容してＮ（Ｎ≧１）個の信号区間でなされる。
【０２９８】
ペン情報信号（ＰＩＮＦＯ）は第１シンボル値（０）、第２シンボル値（１）及び第３シンボル値（−）を含む三つのシンボル値（０、１、−）のうちで重複を許容してＮ個のシンボル値でなされたＮ桁のシンボルストリングを示す。Ｎ桁のシンボルストリングはアクティブペン２０に対するペン情報を表現したものである。
【０２９９】
この時、ペン情報信号（ＰＩＮＦＯ）で示すことができるＮ桁のシンボルストリングの種類の個数は３Ｎ個である。
【０３００】
このように、三つのシンボル値（０、１、−）を利用すれば、二つのシンボル値（０、１）を利用する場合に比べて、決まった制限時間内にペン情報信号（ＰＩＮＦＯ）を通じて伝達することができるペン情報量を増加させることができる。
【０３０１】
一方、ペン情報信号（ＰＩＮＦＯ）でパルスのデューティー比(Duty Ratio)は一定であることができる。
【０３０２】
ペン情報信号（ＰＩＮＦＯ）でパルスのデューティー比を一定にすることで、アクティブペン２０はペン情報信号（ＰＩＮＦＯ）をより容易に生成することができ、タッチ回路３００はペン情報信号（ＰＩＮＦＯ）からペン情報をより容易に把握することができる。
【０３０３】
または、ペン情報信号（ＰＩＮＦＯ）でパルスのデューティー比は可変であることもある。
【０３０４】
このように、ペン情報信号（ＰＩＮＦＯ）でパルスのデューティー比を可変とすることで、デューティー比可変制御を通じて、ペン情報信号（ＰＩＮＦＯ）でのパルス状態を多様にさせ、これを通じて、決まった制限時間内にペン情報信号（ＰＩＮＦＯ）を通じて伝達することができるペン情報量をさらに増加させることができる。
【０３０５】
一方、ペン情報信号（ＰＩＮＦＯ）でパルスの振幅（ハイレベル電圧とローレベル電圧の差）を一定とすることができる。
【０３０６】
ペン情報信号（ＰＩＮＦＯ）でパルスの振幅を一定にすることで、アクティブペン２０はペン情報信号（ＰＩＮＦＯ）をより容易に生成することができ、タッチ回路３００はペン情報信号（ＰＩＮＦＯ）からペン情報をより容易に把握することができる。
【０３０７】
一方、ペン情報信号（ＰＩＮＦＯ）でパルスの振幅（ハイレベル電圧とローレベル電圧の差）を可変とすることもできる。
【０３０８】
このように、ペン情報信号（ＰＩＮＦＯ）でパルスの振幅を可変とすることで、振幅可変制御を通じて、ペン情報信号（ＰＩＮＦＯ）でのパルス状態を多様にさせ、これを通じて、決まった制限時間内にペン情報信号（ＰＩＮＦＯ）を通じて伝達することができるペン情報量をさらに増加させることができる。
【０３０９】
以下では、ペン情報信号（ＰＩＮＦＯ）でパルスに対するデューティー比可変制御を通じて、ペン情報信号（ＰＩＮＦＯ）でのパルス状態を多様にさせ、これを通じて、決まった制限時間（ペン情報認識期間）内にペン情報信号（ＰＩＮＦＯ）を通じて伝達することができるペン情報量をさらに増加させることができる方法に対して、図２１乃至図２３を参照して説明する。
【０３１０】
続いて、ペン情報信号（ＰＩＮＦＯ）でのパルスに対する振幅可変制御を通じて、ペン情報信号（ＰＩＮＦＯ）でのパルス状態を多様にさせ、これを通じて、決まった制限時間（ペン情報認識期間）内にペン情報信号（ＰＩＮＦＯ）を通じて伝達することができるペン情報量をさらに増加させることができる方法に対して、図２４乃至図２６を参照して説明する。
【０３１１】
図２１は、本発明によるタッチシステムで、決まった制限時間内にペン情報信号（ＰＩＮＦＯ）を通じて伝達することができるペン情報量をさらに増加させるために、デューティー比可変制御を通じて、五つの状態（State１、２、３、４、５）及び五つのシンボル値（０、１、２、３、４）を利用する場合、ペン情報信号（ＰＩＮＦＯ）での五つの状態区間を示した例示図である。
【０３１２】
図２１を参照すれば、正位相状態区間はパルスが第１デューティー比（５０％）を有する第１デューティー比制御正位相状態区間と、パルスが第２デューティー比（２５％）を有する第２デューティー比制御正位相状態区間を含むことができる。
【０３１３】
図２１を参照すれば、逆位相状態区間はパルスが第１デューティー比（５０％）を有する第１デューティー比制御逆位相状態区間と、パルスが第２デューティー比（２５％）を有する第２デューティー比制御逆位相状態区間を含むことができる。
【０３１４】
よって、ペン情報信号（ＰＩＮＦＯ）は、第１デューティー比制御正位相状態区間、第２デューティー比制御正位相状態区間、第１デューティー比制御逆位相状態区間、第２デューティー比制御逆位相状態区間及びパッシブ状態区間を含んで合わせて五つの状態区間のうち一つ以上を一つ以上含むことができる。
【０３１５】
第１デューティー比制御正位相状態区間、第２デューティー比制御正位相状態区間、第１デューティー比制御逆位相状態区間、第２デューティー比制御逆位相状態区間及びパッシブ状態区間はお互いに異なるシンボル値に対応することができる。
【０３１６】
すなわち、第１デューティー比制御正位相状態区間は第１シンボル値（０）を表現し、第２デューティー比制御正位相状態区間は第２シンボル値（１）を表現し、第１デューティー比制御逆位相状態区間は第３シンボル値（２）を表現し、第２デューティー比制御逆位相状態区間は第４シンボル値（３）を表現し、パッシブ状態区間は第５シンボル値（４）を表現することができる。
【０３１７】
ペン情報信号（ＰＩＮＦＯ）がペン情報を表現するためにＮ桁シンボルストリングに対応するパルスである場合、ペン情報信号（ＰＩＮＦＯ）は、二つのデューティー比制御正位相状態区間、二つのデューティー比制御逆位相状態区間及びパッシブ状態区間を含む五つの状態区間のうちで重複を許容してＮ個の信号区間でなされる。
【０３１８】
この場合、ペン情報信号（ＰＩＮＦＯ）は、二つのデューティー比制御正位相状態区間、二つのデューティー比制御逆位相状態区間及びパッシブ状態区間に対応する五つのシンボル値（０〜４）のうちで重複を許容してＮ個のシンボル値でなされたＮ桁のシンボルストリングを示すことができる。
【０３１９】
これによって、ペン情報信号（ＰＩＮＦＯ）のパルスが示すＮ桁のシンボルストリングの種類の個数は５Ｎ個である。
【０３２０】
ここで、Ｎ桁のシンボルストリングの種類の個数はペン情報信号（ＰＩＮＦＯ）を通じて表現することができるペン情報の種類に該当する。
【０３２１】
図２２は本発明によるタッチシステムで、決まった制限時間内にペン情報信号（ＰＩＮＦＯ）を通じて伝達することができるペン情報量をさらに増加させるために、さらに細分化されたデューティー比可変制御を通じて、七つの状態（State１、２、３、４、５、６、７）及び七つのシンボル値（０、１、２、３、４、５、６）を利用する場合、ペン情報信号（ＰＩＮＦＯ）での七つの状態区間を示した例示図である。
【０３２２】
図２２を参照すれば、正位相状態区間はパルスが第１デューティー比（５０％）を有する第１デューティー比制御正位相状態区間と、パルスが第２デューティー比（２５％）を有する第２デューティー比制御正位相状態区間と、パルスが第３デューティー比（１２．５％）を有する第３デューティー比制御正位相状態区間を含むことができる。ここで、第１、第２、第３デューティー比（５０％、２５％、１２．５％）は、多様に設定されることができる。
【０３２３】
図２２を参照すれば、逆位相状態区間はパルスが第１デューティー比（５０％）を有する第１デューティー比制御逆位相状態区間と、パルスが第２デューティー比（２５％）を有する第２デューティー比制御逆位相状態区間と、パルスが第３デューティー比（１２．５％）を有する第３デューティー比制御逆位相状態区間を含むことができる。ここで、第１、第２、第３デューティー比（５０％、２５％、１２．５％）は多様に設定されることができる。
【０３２４】
よって、ペン情報信号（ＰＩＮＦＯ）は、第１デューティー比制御正位相状態区間、第２デューティー比制御正位相状態区間、第３デューティー比制御正位相状態区間、第１デューティー比制御逆位相状態区間、第２デューティー比制御逆位相状態区間、第３デューティー比制御逆位相状態区間及びパッシブ状態区間を含んで合わせて七つの状態区間のうち一つ以上を一つ以上含むことができる。
【０３２５】
第１デューティー比制御正位相状態区間、第２デューティー比制御正位相状態区間、第３デューティー比制御正位相状態区間、第１デューティー比制御逆位相状態区間、第２デューティー比制御逆位相状態区間、第３デューティー比制御逆位相状態区間及びパッシブ状態区間はお互いに異なるシンボル値に対応することができる。
【０３２６】
すなわち、第１デューティー比制御正位相状態区間は第１シンボル値（０）を表現し、第２デューティー比制御正位相状態区間は第２シンボル値（１）を表現し、第３デューティー比制御正位相状態区間は第３シンボル値（２）を表現し、第１デューティー比制御逆位相状態区間は第４シンボル値（３）を表現し、第２デューティー比制御逆位相状態区間は第５シンボル値（４）を表現し、第３デューティー比制御逆位相状態区間は第６シンボル値（５）を表現し、パッシブ状態区間は第７シンボル値（６）を表現することができる。
【０３２７】
ペン情報信号（ＰＩＮＦＯ）がペン情報を表現するためにＮ桁シンボルストリングに対応するパルスの場合、ペン情報信号（ＰＩＮＦＯ）は、三つのデューティー比制御正位相状態区間、三つのデューティー比制御逆位相状態区間及びパッシブ状態区間を含む七つの状態区間のうちで重複を許容してＮ個の信号区間でなされる。
【０３２８】
この場合、ペン情報信号（ＰＩＮＦＯ）は、三つのデューティー比制御正位相状態区間、三つのデューティー比制御逆位相状態区間及びパッシブ状態区間に対応する七つのシンボル値（０〜６）のうちで重複を許容してＮ個のシンボル値でなされたＮ桁のシンボルストリングを示すことができる。
【０３２９】
これによって、ペン情報信号（ＰＩＮＦＯ）のパルスが示すＮ桁のシンボルストリングの種類の個数は７Ｎ個である。
【０３３０】
ここで、Ｎ桁のシンボルストリングの種類の個数はペン情報信号（ＰＩＮＦＯ）を通じて表現することができるペン情報の種類に該当する。
【０３３１】
図２３は、本発明によるタッチシステムで、決まった制限時間内にペン情報信号（ＰＩＮＦＯ）を通じて伝達することができるペン情報量をさらに増加させるために、デューティー比可変制御を通じて生成されるＡ＋Ｂ＋１種の状態及びＡ＋Ｂ＋１種のシンボル値を示した図面である。
【０３３２】
図２３を参照すれば、ペン情報信号（ＰＩＮＦＯ）で、正位相状態区間はお互いに異なるＡ（Ａ≧２）種のデューティー比（DR_P_1、DR_P_2、．．．、DR_P_A）を有するＡ種のデューティー比制御正位相状態区間のうちの一つ以上を含むことができる。
【０３３３】
Ａ種のデューティー比制御正位相状態区間はＡ種の状態（State１、State２、．．．、StateＡ）に対応するパルスでなされている。
【０３３４】
Ａ種のデューティー比（DR_P_１、DR_P_２、．．．、DR_P_A）は多様な値で設定されることができる。
【０３３５】
Ａ種のデューティー比制御正位相状態区間のＡ種のシンボル値はお互いに異なる設定値として、多様に設定されることができ、一例で、０、１、．．．、Ａ−１に設定されることができる。
【０３３６】
ペン情報信号（ＰＩＮＦＯ）で、逆位相状態区間はお互いに異なるＢ（Ｂ≧２）種のデューティー比（DR_R_１、DR_R_２、．．．、DR_R_B）を有するＢ種のデューティー比制御逆位相状態区間のうちの一つ以上を含むことができる。
【０３３７】
Ｂ種のデューティー比制御逆位相状態区間はＢ種の状態（StateＡ＋１、StateＡ＋２、．．．、StateＡ＋Ｂ）に対応するパルスでなされている。
【０３３８】
Ｂ種のデューティー比（DR_R_１、DR_R_２、．．．、DR_R_B）は多様な値に設定されることができる。
【０３３９】
Ｂ種のデューティー比制御逆位相状態区間のＢ種のシンボル値はお互いに異なる設定値として、多様に設定されることができ、一例で、Ａ、Ａ＋１、．．．、Ａ＋Ｂ−１で設定されることができる。
【０３４０】
ペン情報信号（ＰＩＮＦＯ）はパッシブ状態区間を含むことができる。
【０３４１】
パッシブ状態区間は一例で、グラウンド電圧を有するグラウンド電圧区間（ＧＮＤ）と、グラウンド電圧（ＧＮＤ）以外に特定ＤＣ電圧を有するＤＣ電圧区間（ＤＣ）と、アクティブペン２０でどのような電圧または信号も出力されず信号の切れた形態になるフローティング区間（ＦＬＯＡＴ）と、正位相状態区間及び逆位相状態区間でのパルスと区分が可能なパルスでなされたパルス区間（ＯＦＦ＿ＰＵＬＳＥ）などのうちの一つまたは二つ以上を含むことができる。
【０３４２】
パッシブ状態区間のシンボル値は他のシンボル値（例：０、１、．．．、Ａ−１、Ａ、Ａ＋１、．．．、Ａ＋Ｂ−１）と異なるように設定されることができるし、一例で、Ａ＋Ｂで設定されることができる。
【０３４３】
一方、本明細書で、パッシブ状態区間は１個であり、対応するシンボル値も１個であることで説明されているが、場合によって、正位相状態区間及び逆位相状態区間と同じく、パッシブ状態区間も二つ以上に細分化されることができる。この場合、パッシブ状態区間も二つ以上のシンボル値に表現されることができる。
【０３４４】
Ａ種のデューティー比制御正位相状態区間、Ｂ種のデューティー比制御逆位相状態区間及びパッシブ状態区間はお互いに異なるシンボル値（例：０、１、．．．、Ａ−１、Ａ、Ａ＋１、．．．、Ａ＋Ｂ−１、Ａ＋Ｂ）を示す。
【０３４５】
ペン情報信号(ＰＩＮＦＯ)は、Ａ種のデューティー比制御正位相状態区間、Ｂ種のデューティー比制御逆位相状態区間及びパッシブ状態区間を含むＡ＋Ｂ＋１種の状態区間（State１、State２、．．．、State Ａ、StateＡ＋１、．．．、StateＡ＋Ｂ、StateＡ＋Ｂ＋１）のうちで重複を許容して選択されたＮ個の信号区間でなされることができる。
【０３４６】
ペン情報信号（ＰＩＮＦＯ）は、Ａ種のデューティー比制御正位相状態区間、Ｂ種のデューティー比制御逆位相状態区間及びパッシブ状態区間に対応するＡ＋Ｂ＋１種のシンボル値（例：０、１、．．．、Ａ−１、Ａ、Ａ＋１、．．．、Ａ＋Ｂ−１、Ａ＋Ｂ）のうちで重複を許容して選択されたＮ個のシンボル値でなされたＮ桁のシンボルストリングを示し、
【０３４７】
ペン情報信号（ＰＩＮＦＯ）のパルスが示すＮ桁のシンボルストリングはアクティブペン２０に対するペン情報を表現する。
【０３４８】
Ｎ桁のシンボルストリングの種類の個数は（Ａ＋Ｂ＋１）Ｎ個である。
【０３４９】
ここで、Ｎ桁のシンボルストリングの種類の個数はペン情報信号（ＰＩＮＦＯ）を通じて表現することができるペン情報の種類に該当する。
【０３５０】
前述したように、ペン情報信号（ＰＩＮＦＯ）に対するデューティー比可変制御を通じて、ペン情報信号（ＰＩＮＦＯ）でのパルス状態を多様にさせ、これを通じて、決まった制限時間内にペン情報信号（ＰＩＮＦＯ）を通じて伝達することができるペン情報量をさらに増加させることができる。
【０３５１】
図２４は、本発明によるタッチシステムで、決まった制限時間内にペン情報信号（ＰＩＮＦＯ）を通じて伝達することができるペン情報量をさらに増加させるために、振幅可変制御を通じて、五つの状態（State１、２、３、４、５）及び五つのシンボル値（０、１、２、３、４）を利用する場合、ペン情報信号（ＰＩＮＦＯ）での五つの状態区間を示した例示図である。
【０３５２】
図２４を参照すれば、正位相状態区間はパルスが第１振幅（Ｘ電圧）を有する第１振幅制御正位相状態区間と、パルスが第２振幅（Ｘ／２電圧）を有する第２振幅制御正位相状態区間を含むことができる。
【０３５３】
図２４を参照すれば、逆位相状態区間はパルスが第１振幅（Ｙ電圧）を有する第１振幅制御逆位相状態区間と、パルスが第２振幅（Ｙ／２電圧）を有する第２振幅制御逆位相状態区間を含むことができる。ここで、Ｘ電圧とＹ電圧は等しい電圧であることもでき、また他の電圧であることもできる。
【０３５４】
よって、ペン情報信号（ＰＩＮＦＯ）は、第１振幅制御正位相状態区間、第２振幅制御正位相状態区間、第１振幅制御逆位相状態区間、第２振幅制御逆位相状態区間及びパッシブ状態区間を含んで合わせて五つの状態区間のうち一つ以上を一つ以上含むことができる。
【０３５５】
第１振幅制御正位相状態区間、第２振幅制御正位相状態区間、第１振幅制御逆位相状態区間、第２振幅制御逆位相状態区間及びパッシブ状態区間はお互いに異なるシンボル値に対応することができる。
【０３５６】
すなわち、第１振幅制御正位相状態区間は第１シンボル値（０）を示し、第２振幅制御正位相状態区間は第２シンボル値（１）を示し、第１振幅制御逆位相状態区間は第３シンボル値（２）を示し、第２振幅制御逆位相状態区間は第４シンボル値（３）を示し、パッシブ状態区間は第５シンボル値（４）を示すことができる。
【０３５７】
ペン情報信号（ＰＩＮＦＯ）がペン情報を表現するためにＮ桁シンボルストリングに対応するパルスである場合、ペン情報信号（ＰＩＮＦＯ）は、二つの振幅制御正位相状態区間、二つの振幅制御逆位相状態区間及びパッシブ状態区間を含む五つの状態区間のうちで重複を許容して選択されたＮ個の信号区間でなされる。
【０３５８】
この場合、ペン情報信号（ＰＩＮＦＯ）は、二つの振幅制御正位相状態区間、二つの振幅制御逆位相状態区間及びパッシブ状態区間に対応する五つのシンボル値（０〜４）のうちで重複を許容して選択されたＮ個のシンボル値でなされたＮ桁のシンボルストリングを示すことができる。
【０３５９】
これによって、ペン情報信号（ＰＩＮＦＯ）のパルスが示すＮ桁のシンボルストリングの種類の個数は５Ｎ個である。
【０３６０】
ここで、Ｎ桁のシンボルストリングの種類の個数はペン情報信号（ＰＩＮＦＯ）を通じて表現することができるペン情報の種類に該当する。
【０３６１】
図２５は、本発明によるタッチシステムで、決まった制限時間内にペン情報信号（ＰＩＮＦＯ）を通じて伝達することができるペン情報量をさらに増加させるために、さらに細分化された振幅可変制御を通じて、七つの状態（State１、２、３、４、５、６、７）及び七つのシンボル値（０、１、２、３、４、５、６）を利用する場合、ペン情報信号（ＰＩＮＦＯ）での七つの状態区間を示した例示図である。
【０３６２】
図２５を参照すれば、正位相状態区間はパルスが第１振幅（Ｘ電圧）を有する第１振幅制御正位相状態区間と、パルスが第２振幅（Ｘ／２電圧）を有する第２振幅制御正位相状態区間と、パルスが第３振幅（Ｘ／４電圧）を有する第３振幅制御正位相状態区間を含むことができる。ここで、第１、第２、第３振幅（Ｘ、Ｘ／２、Ｘ／４）は多様に設定されることができる。
【０３６３】
図２５を参照すれば、逆位相状態区間はパルスが第１振幅（Ｙ電圧）を有する第１振幅制御逆位相状態区間と、パルスが第２振幅（Ｙ／２電圧）を有する第２振幅制御逆位相状態区間と、パルスが第３振幅（Ｙ／４電圧）を有する第３振幅制御逆位相状態区間とを含むことができる。ここで、第１、第２、及び第３振幅（Ｙ、Ｙ／２、Ｙ／４）は多様に設定されることができる。Ｘ電圧とＹ電圧は等しい電圧であることもでき、また他の電圧であることもできる。
【０３６４】
よって、ペン情報信号（ＰＩＮＦＯ）は、第１振幅制御正位相状態区間、第２振幅制御正位相状態区間、第３振幅制御正位相状態区間、第１振幅制御逆位相状態区間、第２振幅制御逆位相状態区間、第３振幅制御逆位相状態区間及びパッシブ状態区間を含んで合わせて七つの状態区間のうちの一つ以上を一つ以上含むことができる。
【０３６５】
第１振幅制御正位相状態区間、第２振幅制御正位相状態区間、第３振幅制御正位相状態区間、第１振幅制御逆位相状態区間、第２振幅制御逆位相状態区間、第３振幅制御逆位相状態区間及びパッシブ状態区間ではお互いに異なるシンボル値が表現されることができる。
【０３６６】
すなわち、第１振幅制御正位相状態区間は第１シンボル値（０）を表現し、第２振幅制御正位相状態区間は第２シンボル値（１）を表現し、第３振幅制御正位相状態区間は第３シンボル値（２）を表現し、第１振幅制御逆位相状態区間は第４シンボル値（３）を表現し、第２振幅制御逆位相状態区間は第５シンボル値（４）を表現し、第３振幅制御逆位相状態区間は第６シンボル値（５）を表現し、パッシブ状態区間は第７シンボル値（６）を表現することができる。
【０３６７】
ペン情報信号（ＰＩＮＦＯ）がペン情報を表現するためにＮ桁シンボルストリングに対応するパルスである場合、ペン情報信号（ＰＩＮＦＯ）は、三つの振幅制御正位相状態区間、三つの振幅制御逆位相状態区間及びパッシブ状態区間を含む七つの状態区間のうちで重複を許容してＮ個の信号区間でなされる。
【０３６８】
この場合、ペン情報信号（ＰＩＮＦＯ）は、三つの振幅制御正位相状態区間、三つの振幅制御逆位相状態区間及びパッシブ状態区間に対応する七つのシンボル値(０〜６)のうちで重複を許容してＮ個のシンボル値でなされたＮ桁のシンボルストリングを示すことができる。
【０３６９】
これによって、ペン情報信号（ＰＩＮＦＯ）のパルスが示すＮ桁のシンボルストリングの種類の個数は７Ｎ個である。
【０３７０】
ここで、Ｎ桁のシンボルストリングの種類の個数はペン情報信号（ＰＩＮＦＯ）を通じて表現することができるペン情報の種類に該当する。
【０３７１】
図２６は、本発明によるタッチシステムで、決まった制限時間内にペン情報信号（ＰＩＮＦＯ）を通じて伝達することができるペン情報量をさらに増加させるために、振幅可変制御を通じて生成されるＣ＋Ｄ＋１種の状態及びＣ＋Ｄ＋１種のシンボル値を示した図面である。
【０３７２】
図２６を参照すれば、ペン情報信号（ＰＩＮＦＯ）で、正位相状態区間はお互いに異なるＣ（Ｃ≧２）種の振幅（AMP_P_１、AMP_P_２、．．．、AMP_P_C）を有するＣ種の振幅制御正位相状態区間のうちの一つ以上を含むことができる。
【０３７３】
Ｃ種の振幅制御正位相状態区間はＣ種の状態（State１、State２、．．．、StateＣ）に対応するパルスでなされている。
【０３７４】
Ｃ種の振幅（AMP_P_１、AMP_P_２、．．．、AMP_P_C）は多様な値で設定されることができる。
【０３７５】
Ｃ種の振幅制御正位相状態区間のＣ種のシンボル値はお互いに異なる設定値として、多様に設定されることができ、一例で、０、１、．．．、Ｃ−１に設定されることができる。
【０３７６】
ペン情報信号（ＰＩＮＦＯ）で、逆位相状態区間はお互いに異なるＤ（Ｄ≧２）種の振幅（AMP_R_１、AMP_R_２、．．．、AMP_R_D）を有するＤ種の振幅制御逆位相状態区間のうちの一つ以上を含むことができる。
【０３７７】
Ｄ種の振幅制御逆位相状態区間はＤ種の状態（StateＣ＋１、StateＣ＋２、．．．、StateＣ＋Ｄ）に対応するパルスでなされている。
【０３７８】
Ｄ種の振幅（AMP_R_１、AMP_R_２、．．．、AMP_R_D）は多様な値に設定されることができる。
【０３７９】
Ｄ種の振幅制御逆位相状態区間のＤ種のシンボル値はお互いに異なる設定値として、多様に設定されることができ、一例で、Ｃ、Ｃ＋１、．．．、Ｃ＋Ｄ−１に設定されることができる。
【０３８０】
ペン情報信号（ＰＩＮＦＯ）はパッシブ状態区間を含むことができる。
【０３８１】
パッシブ状態区間は一例で、グラウンド電圧を有するグラウンド電圧区間（ＧＮＤ）と、グラウンド電圧（ＧＮＤ）以外に特定ＤＣ電圧を有するＤＣ電圧区間（ＤＣ）と、アクティブペン２０でどのような電圧または信号も出力されず信号の切れた形態になるフローティング区間（ＦＬＯＡＴ）と、正位相状態区間及び逆位相状態区間でのパルスと区分が可能なパルスでなされたパルス区間（ＯＦＦ＿ＰＵＬＳＥ）のうちの一つであることができる。
【０３８２】
パッシブ状態区間のシンボル値は他のシンボル値（例：０、１、．．．、Ｃ−１、Ｃ、Ｃ＋１、．．．、Ｃ＋Ｄ−１）と異なるように設定されることができるし、一例で、Ｃ＋Ｄで設定されることができる。
【０３８３】
Ｃ種の振幅制御正位相状態区間、Ｄ種の振幅制御逆位相状態区間及びパッシブ状態区間はお互いに異なるシンボル値（例：０、１、．．．、Ｃ−１、Ｃ、Ｃ＋１、．．．、Ｃ＋Ｄ−１、Ｃ＋Ｄ）を示す。
【０３８４】
ペン情報信号（ＰＩＮＦＯ）は、Ｃ種の振幅制御正位相状態区間、Ｄ種の振幅制御逆位相状態区間及びパッシブ状態区間を含むＣ＋Ｄ＋１種の状態区間（State１、State２、．．．、StateＣ、StateＣ＋１、．．．、StateＣ＋Ｄ、StateＣ＋Ｄ＋１）のうちで重複を許容して選択されたＮ個の信号区間でなされることができる。
【０３８５】
ペン情報信号(ＰＩＮＦＯ)は、Ｃ種の振幅制御正位相状態区間、Ｄ種の振幅制御逆位相状態区間及びパッシブ状態区間に対応するＣ＋Ｄ＋１種のシンボル値（例：０、１、．．．、Ｃ−１、Ｃ、Ｃ＋１、．．．、Ｃ＋Ｄ−１、Ｃ＋Ｄ）のうちで重複を許容して選択されたＮ個のシンボル値でなされたＮ桁のシンボルストリングを示す。
【０３８６】
ペン情報信号（ＰＩＮＦＯ）のパルスが示すＮ桁のシンボルストリングはアクティブペン２０に対するペン情報を表現する。
【０３８７】
Ｎ桁のシンボルストリングの種類の個数は（Ｃ＋Ｄ＋１）Ｎ個である。
【０３８８】
ここで、Ｎ桁のシンボルストリングの種類の個数はペン情報信号（ＰＩＮＦＯ）を通じて表現することができるペン情報の種類に該当する。
【０３８９】
前述したように、ペン情報信号（ＰＩＮＦＯ）に対する振幅可変制御を通じて、ペン情報信号（ＰＩＮＦＯ）でのパルス状態を多様にさせ、これを通じて、決まった制限時間内にペン情報信号（ＰＩＮＦＯ）を通じて伝達することができるペン情報量をさらに増加させることができる。
【０３９０】
以上で前述したデューティー比可変制御と振幅可変制御が一緒に遂行されることもできる。よって、ペン情報信号（ＰＩＮＦＯ）でパルスのデューティー比及び振幅を可変とすることができる。
【０３９１】
このように、ペン情報信号（ＰＩＮＦＯ）でパルスのデューティー比及び振幅をすべて可変することで、ペン情報信号（ＰＩＮＦＯ）でのパルス状態をさらに多様にさせ、これを通じて、決まった制限時間内にペン情報信号（ＰＩＮＦＯ）を通じて伝達することができるペン情報量をさらに増加させることができる。
【０３９２】
図２７は、本発明によるタッチシステムで、信号同期のためのピング信号(Ping Signal)を示した図面である。
【０３９３】
ビーコン信号伝送期間（ＢＣＯＮ）に該当するＬＨＢを除いた残りのＬＨＢでは特殊な用途のパネル駆動信号であるピング信号がタッチパネル（ＴＳＰ）に印加されることができる。
【０３９４】
ビーコン信号伝送期間（ＢＣＯＮ）に該当するＬＨＢを除いた残りの各ＬＨＢ内の一定時間（ＬＨＢの前半部の一定時間）の間、タッチパネル（ＴＳＰ）を駆動するパネル駆動信号とアクティブペン２０から出力されたペン信号（ペン駆動信号とも称する）の同期化のための用途のパネル駆動信号であるピング(Ping)信号がタッチパネル（ＴＳＰ）に印加され、アクティブペン２０はピング信号を、タッチパネル（ＴＳＰ）を通じて受信して信号同期化を遂行することができる。
【０３９５】
一つまたは二つ以上のアクティブペン２０でペン信号（ＰＥＮＳ、ＰＩＮＦＯ）が出力される二つ以上のＬＨＢそれぞれの決まった前半部時間の間、タッチ回路３００は決まったコードを示すパルスでなされたピング信号(Ping Signal)をタッチパネル（ＴＳＰ）に供給して、一つ以上のアクティブペン２０はペンチップを通じてピング信号(Ping Signal)を受信する。
【０３９６】
上で言及したピング信号はタッチパネル（ＴＳＰ）とアクティブペンとを同期化させる信号として、アクティブペン２０は受信したピング信号（ＰＮＧ）を参照して、タッチパネル（ＴＳＰ）に供給されるパネル駆動信号またはタッチ回路３００の内部の動作信号に同期化させたペン信号（ＰＥＮＳ、ＰＩＮＦＯ）を生成して出力することができる。
【０３９７】
一例で、アクティブペン２０はピング信号によってタッチパネル（ＴＳＰ）の駆動周波数と同期化されたペン信号（ＰＥＮＳ、ＰＩＮＦＯ）を発生する。
【０３９８】
ピング信号（ＰＮＧ）をなすパルスのうちで最後のパルスから一定時間（Ｔｄ）が経過した以後、アクティブペン２０でペン信号（ＰＥＮＳ、ＰＩＮＦＯ）が出力されることができる。
【０３９９】
図２８は、本発明によるアクティブペン２０に対するダイヤグラムである。図２９は、本発明によるアクティブペン２０の信号送受信に対するダイヤグラムである。
【０４００】
図２８を参照すれば、タッチ表示装置１０と連動するアクティブペン２０は、タッチ表示装置１０のタッチパネル（ＴＳＰ）に接触するか、または近接する一つ以上のペンチップ(Pen Tip)を含むペンチップ部２８１０と、ペンチップ部２８１０を通じてタッチパネル(ＴＳＰ)に印加されたパネル駆動信号を受信して、パネル駆動信号に応答して各種ペン信号を一つ以上のペンチップ２８１０を通じて出力する処理部２８２０などを含むことができる。
【０４０１】
また、アクティブペン２０はバッテリー２８３０と、ボタン(Button)、通信モジュール（例：ブルートゥース（登録商標）(Bluetooth（登録商標）)など）、表示装置などその他周辺装置（２８４０）などをさらに含むことができる。
【０４０２】
処理部２８２０はペンチップ部２８１０に加えられる圧力（筆圧）をセンシングする圧力部２８２１と、ペンチップ部２８１０から受信された電場（すなわち、パネル駆動信号）の周波数をセンシングする受信部２８２３と、同期化された信号をタッチパネル（ＴＳＰ）に出力する送信部２８２２と、アクティブペン２０の動作と関連された制御を遂行する制御部２８２４などを含むことができる。
【０４０３】
圧力部２８２１は、一例で、圧力センサー（ｅｘ．ＭＥＭＳ）と増幅器（Ａｍｐ）などで構成されることができる。
【０４０４】
制御部２８２４は受信部２８２３から信号を受けてタッチパネル（ＴＳＰ）のパネルＩＤを判別し、これに合う通信プロトコルを生成し、送信部２８２２のタイミングを制御し、圧力部２８２１から圧力信号に対する情報を受けてこれに対する情報を生成し、その他ボタン信号を制御することができる。
【０４０５】
このような制御部２８２４はマイクロコントロールユニット（ＭＣＵ：Micro Control Unit）２９３０で具現されることができる。
【０４０６】
処理部２８２０は、ペンチップ部２８１０とスイッチング動作をするスイッチ２９１０、タッチパネル（ＴＳＰ）を通じて受信される電場（パネル駆動信号）の周波数をセンシングする周波数感知器２９２０、各種ペン信号（ＰＥＮＳ、ＰＩＮＦＯなど）に該当するパルスを生成するパルス生成器２９４０などを含むことができる。
【０４０７】
ここで、周波数感知器２９２０は、一例で、比較器などで具現されることができ、増幅器をさらに含むことができる。パルス生成器２９４０は増幅器を含むことができる。
【０４０８】
ＭＣＵ２９３０はビーコン信号によってプロトコルを選択し、ビーコン信号またはピング信号によってパルス生成器２９４０でのパルス生成タイミングを制御することができる。
【０４０９】
一方、アクティブペン２０で、ペンチップ部２８１０は電場を受信または送信する部分として、一つまたは二つ以上のペンチップを含むことができる。
【０４１０】
ペンチップ部２８１０が二つ以上のペンチップを含む場合、二つ以上のペンチップは一定距離だけ離れている。
【０４１１】
二つ以上のペンチップの距離に関する値はペン情報信号（ＰＩＮＦＯ）などに含まれてタッチ表示装置１０に提供されることができる。
【０４１２】
二つ以上のペンチップの距離はアクティブペン２０のチルト（傾き）を算出するのに利用される。よって、二つ以上のペンチップの距離を意図的に作って設計することでペンチルトを算出することができる。
【０４１３】
一方、ペン情報認識期間（ＤＡＴＡ）の間に、処理部２８２０は、一つ以上のペンチップを含むペンチップ部２８１０を通じて第２パネル駆動信号（ＰＤＳ２）を受信して、第２パネル駆動信号（ＰＤＳ２）に応答してペン情報信号（ＰＩＮＦＯ）を一つ以上のペンチップを通じて出力することができる。
【０４１４】
第２パネル駆動信号（ＰＤＳ２）及びペン情報信号（ＰＩＮＦＯ）それぞれは複数のパルスを含むことができる。
【０４１５】
ここで、出力されるペン情報信号（ＰＩＮＦＯ）は、第２パネル駆動信号（ＰＤＳ２）のパルスと位相が等しいパルスでなされた正位相状態区間と、第２パネル駆動信号（ＰＤＳ２）のパルスと位相が異なるパルスでなされた逆位相状態区間と、グラウンド電圧区間と、ＤＣ電圧区間と、フローティング区間と、正位相状態区間及び逆位相状態区間でのパルスと区分されるパルスでなされたパルス区間のうちの一つであるパッシブ状態区間などのうちの一つ以上を含むことができる。
【０４１６】
前述した発明によれば、アクティブペン２０は決まった制限時間内により多くのペン情報量を有するペン情報信号（ＰＩＮＦＯ）をタッチ表示装置１０に提供することができる。
【０４１７】
図３０は、本発明によるタッチ回路３００に対するダイヤグラムである。
【０４１８】
図３０を参照すれば、本発明によるタッチ回路３００は、パネル駆動信号をタッチパネル（ＴＳＰ）に出力し、アクティブペン２０でパネル駆動信号に応答して出力されたペン信号（ＰＥＮＳ、ＰＩＮＦＯ）を、タッチパネル（ＴＳＰ）を通じて受信し、受信されたペン信号（ＰＥＮＳ、ＰＩＮＦＯ）に対応するデジタル値を出力する一つ以上の第１回路（ＲＯＩＣ）と、ペン信号（ＰＥＮＳ、ＰＩＮＦＯ）に対するデジタル値を受信し、これに基づきアクティブペン２０によるタッチ入力をセンシングし、またはアクティブペン２０に対するペン情報を認識する第２回路（ＴＣＲ）などを含むことができる。
【０４１９】
タッチ回路３００の一つ以上の第１回路（ＲＯＩＣ）は個別部品で具現されるか、または一つの部品で具現されることができる。
【０４２０】
一方、タッチ回路３００の一つ以上の第１回路（ＲＯＩＣ）とデータ駆動回路１２０とを具現した一つ以上のソースドライバ集積回路（ＳＤＩＣ）は、一つ以上の統合集積回路（ＳＲＩＣ）で統合されて具現されることができる。
【０４２１】
すなわち、各統合集積回路（ＳＲＩＣ）は第１回路（ＲＯＩＣ）とソースドライバ集積回路（ＳＤＩＣ）を含むことができる。
【０４２２】
また、タッチ回路３００の一つ以上の第１回路（ＲＯＩＣ）と第２回路（ＴＣＲ）は一つの部品で統合されて具現されることもできる。
【０４２３】
指タッチセンシングに関連し、第１回路（ＲＯＩＣ）は、第３パネル駆動信号（ＰＤＳ３）をタッチパネル（ＴＳＰ）に出力し、タッチパネル（ＴＳＰ）を通じてタッチセンシング信号（ＳＥＮＳ）を受信することができる。
【０４２４】
第２回路（ＴＣＲ）はタッチセンシング信号（ＳＥＮＳ）に基づき、指、ノーマルペンなどによるタッチ入力の位置をセンシングすることができる。
【０４２５】
ペン位置／チルトセンシングに関連し、第１回路（ＲＯＩＣ）は、第１パネル駆動信号（ＰＤＳ１）をタッチパネル（ＴＳＰ）に出力し、アクティブペン２０で第１パネル駆動信号（ＰＤＳ１）に応答して出力されたペン信号（ＰＥＮＳ）を、タッチパネル（ＴＳＰ）を通じて受信することができる。
【０４２６】
第２回路（ＴＣＲ）はペン信号（ＰＥＮＳ）に基づきアクティブペン２０によるタッチ入力の位置をセンシングするか、またはアクティブペン２０のチルトをセンシングすることができる。
【０４２７】
ペン情報認識に関連し、第１回路（ＲＯＩＣ）は、第２パネル駆動信号（ＰＤＳ２）をタッチパネル（ＴＳＰ）に出力し、アクティブペン２０で第２パネル駆動信号（ＰＤＳ２）に応答して出力されたペン情報信号（ＰＩＮＦＯ）を、タッチパネル（ＴＳＰ）を通じて受信することができる。
【０４２８】
第２回路（ＴＣＲ）はペン情報信号（ＰＩＮＦＯ）に基づきアクティブペン２０に対するペン情報を認識することができる。
【０４２９】
第２パネル駆動信号（ＰＤＳ２）及びペン情報信号（ＰＩＮＦＯ）それぞれは複数のパルスを含むことができる。
【０４３０】
第１回路（ＲＯＩＣ）で受信されたペン情報信号（ＰＩＮＦＯ）は、第２パネル駆動信号（ＰＤＳ２）のパルスと位相が等しいパルスでなされた正位相状態区間と、第２パネル駆動信号（ＰＤＳ２）のパルスと位相が異なるパルスでなされた逆位相状態区間と、グラウンド電圧区間と、ＤＣ電圧区間と、フローティング区間と、正位相状態区間及び逆位相状態区間でのパルスと区分されるパルスでなされたパルス区間のうちの一つであるパッシブ状態区間のうちの一つ以上を含むことができる。
【０４３１】
前述した発明によれば、タッチ回路３００は決まった制限時間内により多くのペン情報量を有するペン情報信号（ＰＩＮＦＯ）を受信してアクティブペン２０に対するより多くのペン情報をより速かに認識することができる。
【０４３２】
図３１は、本発明によるタッチ回路３００の第１回路（ＲＯＩＣ）の内部回路構成を示した図面である。
【０４３３】
図３１を参照すれば、統合回路（ＳＲＩＣ）内に含まれることができる第１回路（ＲＯＩＣ）は第１マルチプレクサ回路（ＭＵＸ１）、複数センシングユニット（ＳＵ）を含むセンシングユニットブロック（ＳＵＢ）、第２マルチプレクサ回路（ＭＵＸ２）及びアナログ／デジタルコンバータ（ＡＤＣ）などを含むことができる。
【０４３４】
各センシングユニット（ＳＵ）は前置増幅器(Pre-AMP)、積分器（ＩＮＴＧ）、サンプルアンドホールド回路（ＳＨＡ：Sample and Hold Circuit）などを含むことができる。
【０４３５】
サンプルアンドホールド回路（ＳＨＡ）は、センシングユニット（ＳＵ）ごとに１個ずつ含まれることもできる。または、２個以上のセンシングユニット（ＳＵ）ごとに１個のサンプルアンドホールド回路（ＳＨＡ）が存在することもできて、場合によって、複数のセンシングユニット（ＳＵ）全体に対して１個のサンプルアンドホールド回路（ＳＨＡ）が存在することもできる。
【０４３６】
多様な用途のパネル駆動信号（ビーコン信号、ピング信号、ＰＤＳ１、ＰＤＳ２、ＰＤＳ３など）は、前置増幅器(Pre-AMP)を通じて第１マルチプレクサ回路（ＭＵＸ１）を経ってタッチパネル（ＴＳＰ）での該当信号ライン（ＳＬ）を通じて該当タッチ電極（ＴＥ）に伝達することができる。
【０４３７】
第１マルチプレクサ回路（ＭＵＸ１）は、タッチパネル（ＴＳＰ）から受信される各種信号（例：ＰＥＮＳ、ＰＩＮＦＯ、ＳＥＮＳなど）のうちの一つを選択する。
【０４３８】
選択された信号はセンシングユニットブロック（ＳＵＢ）内の該当センシングユニット（ＳＵ）に伝達されて前置増幅器(Pre-AMP)を通じて積分器（ＩＮＴＧ）に入力される。
【０４３９】
積分器（ＩＮＴＧ）は、前置増幅器(Pre-AMP)の出力電圧（すなわち、前置増幅器(Pre-AMP)の出力端子に出力される信号）の積分値を出力する。このような積分器（ＩＮＴＧ）は比較器、キャパシタなどの素子らで構成されることができる。
【０４４０】
積分器（ＩＮＴＧ）で出力された信号はサンプルアンドホールド回路（ＳＨＡ）に入力される。
【０４４１】
サンプルアンドホールド回路（ＳＨＡ）は、アナログデジタルコンバータ（ＡＤＣ）の入力端に付加される回路として、入力電圧をサンプリングして維持し、維持された電圧をアナログ／デジタルコンバータ（ＡＤＣ）が変換を終わらせるまでそのまま維持する回路である。
【０４４２】
第２マルチプレクサ回路（ＭＵＸ２）は、複数のセンシングユニット（ＳＵ）のうちの一つを選択して選択されたセンシングユニットのサンプルアンドホールド回路（ＳＨＡ）で維持していた電圧をアナログデジタルコンバータ（ＡＤＣ）に入力する。
【０４４３】
アナログデジタルコンバータ（ＡＤＣ）は、入力された電圧をデジタル値に変換して変換されたデジタル値に該当するセンシング値を出力する。
【０４４４】
このように出力されたセンシング値は第２回路（ＴＣＲ）で指によるタッチの有無及び／またはタッチ位置を把握するのに利用されるか、またはアクティブペン２０によるタッチの有無及び／またはタッチ位置を把握するのに利用されるか、またはアクティブペン２０に対するペン情報を認識するのに利用される。
【０４４５】
前述したように、パネル駆動信号（ビーコン信号、ピング信号、ＰＤＳ１、ＰＤＳ２、ＰＤＳ３など）は第１回路（ＲＯＩＣ）内の前置増幅器(Pre-AMP)を通じてタッチパネル（ＴＳＰ）に供給されることもできる。
【０４４６】
パネル駆動信号（ビーコン信号、ピング信号、ＰＤＳ１、ＰＤＳ２、ＰＤＳ３など）は、これと異なる方式でタッチパネル（ＴＳＰ）に供給されることもできる。
【０４４７】
図３２は、本発明によるタッチシステムでパネル駆動信号（ビーコン信号、ピング信号、ＰＤＳ１、ＰＤＳ２、ＰＤＳ３など）をタッチパネル（ＴＳＰ）に供給するための回路構造の例示図である。
【０４４８】
指などによるタッチセンシングとアクティブペン２０によるペンタッチセンシングのために、駆動タイミングによってさまざまな種類のパネル駆動信号（ビーコン信号、ピング信号、第１、第２、第３パネル駆動信号（ＰＤＳ１、ＰＤＳ２、ＰＤＳ３）がタッチパネル（ＴＳＰ）に供給される。
【０４４９】
ビーコン信号及びピング信号は決まったコードを示すパルスでなされた信号として、ハイレベルとローレベルを有することはあるが、ハイレベルとローレベルを反復的にスイングしない。
【０４５０】
これに比べて、第１、第２、第３パネル駆動信号（ＰＤＳ１、ＰＤＳ２、ＰＤＳ３）は決まったコードを示すパルスではなく、ハイレベルとローレベルを反復的にスイングする単純なパルス信号である。
【０４５１】
第１回路（ＲＯＩＣ）を含むことができる統合回路（ＳＲＩＣ）は、ビーコン信号及びピング信号を発生させるビーコン／ピング信号発生部３１１０と、第１、第２、第３パネル駆動信号（ＰＤＳ１、ＰＤＳ２、ＰＤＳ３）を出力するアクティブペン／フィンガータッチセンシング部３１２０と、駆動タイミング情報によってビーコン／ピング信号発生部２４１０及びアクティブペン／フィンガータッチセンシング部３１２０のうち一つをマルチプレクサ回路（ＭＵＸ、図３１のＭＵＸ１であることがある）に電気的に連結するスイッチ（ＳＷ）を含むことができる。
【０４５２】
第１、第２、第３パネル駆動信号（ＰＤＳ１、ＰＤＳ２、ＰＤＳ３）はすべて等しい信号であることができる。
【０４５３】
第１、第２、第３パネル駆動信号（ＰＤＳ１、ＰＤＳ２、ＰＤＳ３）のうち少なくとも一つは他の信号であることもできる。
【０４５４】
一例で、第１、第２、第３パネル駆動信号（ＰＤＳ１、ＰＤＳ２、ＰＤＳ３）のうち少なくとも一つの周波数は異なることがある。
【０４５５】
他の例で、第１、第２、第３パネル駆動信号（ＰＤＳ１、ＰＤＳ２、ＰＤＳ３）のうち少なくとも一つの振幅は異なることがある。
【０４５６】
以上で説明したペン認識方法を、図３３を参照して簡略に説明する。
【０４５７】
図３３は、本発明によるペン認識方法の流れ図である。
【０４５８】
図３３を参照すれば、本発明によるペン認識方法は、タッチパネル（ＴＳＰ）に第２パネル駆動信号（ＰＤＳ２）を供給する段階（Ｓ３３１０）と、タッチパネル（ＴＳＰ）に隣接したアクティブペン２０で第２パネル駆動信号（ＰＤＳ２）に応答して出力されたペン情報信号（ＰＩＮＦＯ）を、タッチパネル（ＴＳＰ）を通じて受信する段階（Ｓ３３２０）と、ペン情報信号（ＰＩＮＦＯ）に基づきアクティブペン２０に対するペン情報を認識する段階（Ｓ３３３０）などを含むことができる。
【０４５９】
第２パネル駆動信号（ＰＤＳ２）及びペン情報信号（ＰＩＮＦＯ）それぞれは複数のパルスを含むことができる。
【０４６０】
第２パネル駆動信号（ＰＤＳ２）及びペン情報信号（ＰＩＮＦＯ）は周波数が等しいことがある。
【０４６１】
ペン情報信号（ＰＩＮＦＯ）は、第２パネル駆動信号（ＰＤＳ２）のパルスと位相が等しいパルスでなされた正位相状態区間と、第２パネル駆動信号（ＰＤＳ２）のパルスと位相が異なるパルスでなされた逆位相状態区間と、グラウンド電圧区間と、ＤＣ電圧区間と、フローティング区間と、正位相状態区間及び逆位相状態区間でのパルスと区分されるパルスでなされたパルス区間のうちの一つであるパッシブ状態区間のうちの一つ以上を含むことができる。
【０４６２】
前述したペン認識方法を利用すれば、決まった制限時間内にペン情報信号（ＰＩＮＦＯ）を通じて伝達することができるペン情報量をさらに増加させることができ、これによって、タッチ表示装置１０はアクティブペン２０に対する多くのペン情報をさらに迅速で正確に認識することができる。
【０４６３】
一方、以上で前述したように、ペン情報信号（ＰＩＮＦＯ）でのパルス状態を多様にさせ、これを通じて、決まった制限時間内にペン情報信号（ＰＩＮＦＯ）を通じて伝達することができるペン情報量をさらに増加させるために、ペン情報信号（ＰＩＮＦＯ）での位相、デューティー比及び振幅などが活用される。
【０４６４】
このような方法に対して、タッチ表示装置１０、タッチ回路３００、アクティブペン２０の観点で簡略に整理する。
【０４６５】
本発明によるタッチ表示装置１０は、複数のタッチ電極（ＴＥ）が配置されたタッチパネル（ＴＳＰ）と、タッチパネル（ＴＳＰ）に第２パネル駆動信号（ＰＤＳ２）を供給し、アクティブペン２０に第２パネル駆動信号（ＰＤＳ２）に応答して出力されたペン情報信号（ＰＩＮＦＯ）を、タッチパネル（ＴＳＰ）を通じて受信し、ペン情報信号（ＰＩＮＦＯ）に基づきアクティブペン２０に対するペン情報を認識するタッチ回路３００を含むことができる。
【０４６６】
第２パネル駆動信号（ＰＤＳ２）及びペン情報信号（ＰＩＮＦＯ）それぞれは複数のパルスを含むことができる。
【０４６７】
そして、ペン情報信号（ＰＩＮＦＯ）は位相、デューティー比及び振幅のうちの一つ以上が可変されたパルス区間を含むことができる。
【０４６８】
タッチ回路３００はペン情報信号（ＰＩＮＦＯ）の位相、デューティー比及び振幅のうちの一つ以上に基づいてアクティブペン２０に対するペン情報を認識することができる。
【０４６９】
本発明によるアクティブペン２０は、タッチ表示装置１０のタッチパネル（ＴＳＰ）と接触する一つ以上のペンチップを含むペンチップ部２８１０と、一つ以上のペンチップを通じて第２パネル駆動信号（ＰＤＳ２）を受信して、第２パネル駆動信号（ＰＤＳ２）に応答してペン情報信号（ＰＩＮＦＯ）を一つ以上のペンチップを通じて出力する処理部２８２０などを含むことができる。
【０４７０】
第２パネル駆動信号（ＰＤＳ２）及びペン情報信号（ＰＩＮＦＯ）それぞれは複数のパルスを含むことができる。
【０４７１】
ペン情報信号（ＰＩＮＦＯ）は位相、デューティー比及び振幅のうちの一つ以上が可変であるパルス区間を含むことができる。
【０４７２】
ペン情報信号（ＰＩＮＦＯ）の位相、デューティー比及び振幅のうちの一つ以上によってペン情報が表現されることができる。
【０４７３】
本発明によるタッチ回路３００は、第２パネル駆動信号（ＰＤＳ２）をタッチパネル（ＴＳＰ）に出力して、アクティブペン２０で第２パネル駆動信号（ＰＤＳ２）に応答して出力されたペン情報信号（ＰＩＮＦＯ）を、タッチパネル（ＴＳＰ）を通じて受信する第１回路（ＲＯＩＣ）と、ペン情報信号（ＰＩＮＦＯ）に基づきアクティブペン２０に対するペン情報を認識する第２回路（ＴＣＲ）などを含むことができる。
【０４７４】
第２パネル駆動信号（ＰＤＳ２）及びペン情報信号（ＰＩＮＦＯ）それぞれは複数のパルスを含むことができる。
【０４７５】
ペン情報信号（ＰＩＮＦＯ）は位相、デューティー比及び振幅のうちの一つ以上が可変であるパルス区間を含むことができる。
【０４７６】
第２回路（ＴＣＲ）はペン情報信号（ＰＩＮＦＯ）の位相、デューティー比及び振幅のうちの一つ以上に基づいてアクティブペン２０に対するペン情報を認識することができる。
【０４７７】
前述した発明によれば、位相、デューティー比及び振幅のうちの一つ以上の変化を通じて、ペン情報信号（ＰＩＮＦＯ）のパルス状態を多様に変形することができ、これを通じて、決まった制限時間内にペン情報信号（ＰＩＮＦＯ）を通じて伝達することができるペン情報量をさらに増加させることができる。
【０４７８】
以上で説明した本発明によれば、さらに多様で多くのペン情報を制限された時間内で速かに送ることができるタッチ表示装置１０、アクティブペン２０、タッチシステム、タッチ回路３００及びペン認識方法を提供することができる。
【０４７９】
本発明によれば、アクティブペン２０に対する多様で多くのペン情報をより短い時間で正確に表現するタッチ表示装置１０、アクティブペン２０、タッチシステム、タッチ回路３００及びペン認識方法を提供することができる。
【０４８０】
本発明によれば、決まった制限時間内にペン情報信号を通じて伝達することができるペン情報量をさらに増加させ、これを通じて、アクティブペン２０に対する多くのペン情報をさらに迅速で正確に認識することができるタッチ表示装置１０、アクティブペン２０、タッチシステム、タッチ回路３００及びペン認識方法を提供することができる。
【０４８１】
以上の説明は、本発明の技術思想を例示的に説明したことに過ぎないものとして、本発明が属する技術分野で通常の知識を持った者なら本発明の本質的な特性から脱しない範囲で多様な修正及び変形が可能であろう。よって、本発明に開示された実施例は本発明の技術思想を限定するためではなく説明するためのものであり、このような実施例によって本発明の技術思想の範囲が限定されるものではない。本発明の保護範囲は下の請求範囲によって解釈されなければならず、それと同等な範囲内にあるすべての技術思想は本発明の権利範囲に含まれるものとして解釈されなければならない。
【符号の説明】
【０４８２】
１０  タッチ表示装置
２０  アクティブペン
３００  タッチ回路
【図１】
2019012505.tif 000003
【図２】
2019012505.tif 000004
【図３】
2019012505.tif 000005
【図４】
2019012505.tif 000006
【図５】
2019012505.tif 000007
【図６】
2019012505.tif 000008
【図７】
2019012505.tif 000009
【図８】
2019012505.tif 000010
【図９】
2019012505.tif 000011
【図１０】
2019012505.tif 000012
【図１１】
2019012505.tif 000013
【図１２】
2019012505.tif 000014
【図１３】
2019012505.tif 000015
【図１４】
2019012505.tif 000016
【図１５】
2019012505.tif 000017
【図１６】
2019012505.tif 000018
【図１７】
2019012505.tif 000019
【図１８】
2019012505.tif 000020
【図１９】
2019012505.tif 000021
【図２０】
2019012505.tif 000022
【図２１】
2019012505.tif 000023
【図２２】
2019012505.tif 000024
【図２３】
2019012505.tif 000025
【図２４】
2019012505.tif 000026
【図２５】
2019012505.tif 000027
【図２６】
2019012505.tif 000028
【図２７】
2019012505.tif 000029
【図２８】
2019012505.tif 000030
【図２９】
2019012505.tif 000031
【図３０】
2019012505.tif 000032
【図３１】
2019012505.tif 000033
【図３２】
2019012505.tif 000034
【図３３】
2019012505.tif 000035